(57)【特許請求の範囲】
【請求項１】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
上記コンテンツ使用権情報（ＣＵＲＩ）は、暗号化ツールを用いたスクランブリングによるコンテンツの保護を禁止する「コンテンツスクランブル禁止」のアイテムを含むことを特徴とするコンテンツ保護方法。
【請求項２】
上記コンテンツ使用権情報（ＣＵＲＩ）は、暗号化ツールを用いたスクランブリングによるコンテンツの保護を強制しないことを選択できる「コンテンツスクランブル不要」のアイテムを含むことを特徴とする請求項１に記載のコンテンツ保護方法。
【請求項３】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
上記コンテンツ使用権情報（ＣＵＲＩ）の１つを示す第１の又は使用プロパティ情報部分（ＵＰｒｏｐ）が使用され、
上記第１の又は使用プロパティ情報部分（ＵＰｒｏｐ）によって示されているコンテンツ使用権情報（ＣＵＲＩ）を更に特定する第２の又は使用パラメータ情報部分（ＵＰａｒ）が使用されるコンテンツ保護方法。
【請求項４】
上記第１の又は使用プロパティ情報部分（ＵＰｒｏｐ）は、４バイナリビットからなる第１の有限バイナリコードに１対１の関係でマッピングされ、
上記第２の又は使用パラメータ情報部分（ＵＰａｒ）は、４バイナリビットからなる第２の有限バイナリコードに１対１の関係でマッピングされることを特徴とする請求項３記載のコンテンツ保護方法。
【請求項５】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
上記コンテンツ使用権情報が、第１の又は使用プロパティ情報部分（ＵＰｒｏｐ）の各使用権情報（ＣＵＲＩ）の第１の有限バイナリコードのビットと、第２の又は使用パラメータ情報部分（ＵＰａｒ）の上記各使用権情報（ＣＵＲＩ）の更なる仕様を示す第２の有限バイナリコードのビットとの順序付けられた結合として上記使用権情報（ＣＵＲＩ）に埋め込まれていることを特徴とするコンテンツ保護方法。
【請求項６】
上記コンテンツ使用権情報が、上記第１の又は使用プロパティ情報部分（ＵＰｒｏｐ）の各使用権情報（ＣＵＲＩ）の上記第１の有限バイナリコードのビットに関して、及び上記第２の又は使用パラメータ情報部分（ＵＰａｒ）の上記各使用権情報（ＣＵＲＩ）の更なる仕様を示す上記第２の有限バイナリコードのビットに関して、以下の表に基づいて構成されることを特徴とする請求項５記載のコンテンツ保護方法。
【表１】
0005202947.tif 000008
【請求項７】
上記コンテンツ使用権情報が、上記第１の又は使用プロパティ情報部分（ＵＰｒｏｐ）の各使用権情報（ＣＵＲＩ）の上記第１の有限バイナリコードのビットに関して、及び上記第２の又は使用パラメータ情報部分（ＵＰａｒ）の上記各使用権情報（ＣＵＲＩ）の更なる仕様を示す上記第２の有限バイナリコードのビットに関して、以下の表に基づいて構成されることを特徴とする請求項５記載のコンテンツ保護方法。
【表２】
0005202947.tif 000009
及び
【表３】
0005202947.tif 000010
【請求項８】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
コンテンツのためのＵＳＩデータ構造において、ＣＰＣＭシステム内でのコンテンツの包括的なコンテンツ管理使用権を定義する必須のコンテンツ管理ＵＳＩを含む第１のセクションを設け、
上記必須のコンテンツ管理ＵＳＩを含む第１のセクションの次にコンテンツのための外部伝播制約ＵＳＩを定義するセクションが設けられていることを特徴とするコンテンツ保護方法。
【請求項９】
上記外部伝播制約は、
「伝播制約なし」（ＰＲＮＡ）であり、
他の伝播制約は指定されず、
上記包括的なコンテンツ管理ＵＳＩは、「コピー制御なし」（ＣＣＮＡ）及び「スクランブルなし」（ＤＮＳＣ）の何れか１つを含み、他のコンテンツ管理ＵＳＩは指定されないことを特徴とする請求項８に記載のコンテンツ保護方法。
【請求項１０】
所定のコンテンツのためのエクスポート制御ＵＳＩとなる「エクスポート制御」の外部伝播制約を設け、包括的及び有効な伝播制約としてエクスポート制御を実現することを特徴とする請求項８に記載のコンテンツ保護方法。
【請求項１１】
外部伝播制約ＵＳＩの次に該外部伝播制約ＵＳＩに対応する領域内だけに適用される所定のコンテンツのためのコンテンツ管理使用規則の異なるセットを指定するコンテンツ管理ＵＳＩの更なるセットが設けられていることを特徴とする請求項８に記載のコンテンツ保護方法。
【請求項１２】
外部伝播制約ＵＳＩ及び各コンテンツ管理ＵＳＩセクションの何れかの次に所定のコンテンツのために内部伝播制約ＵＳＩを定義するセクションが設けられていることを特徴とする請求項８に記載のコンテンツ保護方法。
【請求項１３】
伝播制約使用プロパティ「ローカルの認証されたドメインに限定（ＡＤ）」（ＲＴＬＡＤ）及び「ローカル環境（ＬＥ）に限定」（ＲＴＬＥ）の何れかである内部伝播制約が設けられていることを特徴とする請求項８に記載のコンテンツ保護方法。
【請求項１４】
「認証されたドメイン（ＡＤ）に限定」（ＲＴＡＤ）の外部伝播制約が設けられ、
対応する内部伝播制約ＵＳＩとして、「ローカルの認証されたドメイン（ＡＤ）に限定」（ＲＴＬＡＤ）のみが有効であることを特徴とする請求項８に記載のコンテンツ保護方法。
【請求項１５】
「地域に限定」（ＲＴＧＡ）の外部伝播制約が設けられ、
「ローカル環境（ＬＥ）に限定」（ＲＴＬＥ）のみが対応する内部伝播制約ＵＳＩとして有効であることを特徴とする請求項８に記載のコンテンツ保護方法。
【請求項１６】
内部伝播制約ＵＳＩの次に該内部伝播制約ＵＳＩに対応する領域内だけに適用される所定のコンテンツのためのコンテンツ管理使用規則の異なるセットを指定するコンテンツ管理ＵＳＩの更なるセットが設けられていることを特徴とする請求項８に記載のコンテンツ保護方法。
【請求項１７】
第１の包括的に有効なセクションにおいて指定されるコンテンツ管理ＵＳＩ使用プロパティ設定は、該コンテンツ管理ＵＳＩ使用プロパティが外側伝播制約及び／又は内部伝播制約について異なる設定を含んでいない限り、外側伝播制約及び内部伝播制約においても有効であることを特徴とする請求項８に記載のコンテンツ保護方法。
【請求項１８】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
上記コンテンツ使用権情報は、第１の又は使用プロパティ情報部分の各使用権情報の第１の有限バイナリコードのビットに関して、及び第２の又は使用パラメータ情報部分の各コンテンツ使用権情報の更なる仕様を示す第２の有限バイナリコードのビットに関して、以下の表に基づいて構成されることを特徴とするコンテンツ保護方法。
【表４】
0005202947.tif 000011
【請求項１９】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
上記伝播制約使用権情報は、第１の又は使用プロパティ情報部分の各使用権情報の第１の有限バイナリコードのビットに関して、及び第２の又は使用パラメータ情報部分の各使用権情報の更なる仕様を示す第２の有限バイナリコードのビットに関して、以下の表に基づいて構成されることを特徴とするコンテンツ保護方法。
【表５】
0005202947.tif 000012
【請求項２０】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
上記コンテンツ使用権情報（ＣＵＲＩ）は、第１の又は使用プロパティ情報部分（ＵＰｒｏｐ）の各使用権情報（ＣＵＲＩ）の第１の有限バイナリコードのビットに関して、及び第２の又は使用パラメータ情報部分（ＵＰａｒ）の上記各使用権情報（ＣＵＲＩ）の更なる仕様を示す第２の有限バイナリコードのビットに関して、以下の表に基づいて構成されることを特徴とするコンテンツ保護方法。
【表６】
0005202947.tif 000013
及び
【表７】
0005202947.tif 000014
【請求項２１】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
コンテンツのＵＳＩデータ構造において、ＣＰＣＭシステムにおけるコンテンツのデフォルトのコンテンツ管理使用権を定義するトップレベルの伝播制約を含む第１のセクションと、これに続く関連するコンテンツ管理ＵＳＩが設けられ、
「ＣＰＣＭシステムに限定」、「認証されたドメイン（ＡＤ）に限定」、「地域に限定」（ＲＴＧＡ）及び「ローカル環境（ＬＥ）に限定」（ＲＴＬＥ）のうちの何れか１つの伝播制約使用プロパティとしてのトップレベルの伝播制約が設けられ、
必須のトップレベルの伝播制約及びコンテンツ管理ＵＳＩを含む第１のセクションの次にコンテンツのための外部伝播制約ＵＳＩを定義するセクションが設けられていることを特徴とするコンテンツ保護方法。
【請求項２２】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
コンテンツのＵＳＩデータ構造において、ＣＰＣＭシステムにおけるコンテンツのデフォルトのコンテンツ管理使用権を定義するトップレベルの伝播制約を含む第１のセクションと、これに続く関連するコンテンツ管理ＵＳＩが設けられ、
「ＣＰＣＭシステムに限定」、「認証されたドメイン（ＡＤ）に限定」、「地域に限定」（ＲＴＧＡ）及び「ローカル環境（ＬＥ）に限定」（ＲＴＬＥ）のうちの何れか１つの伝播制約使用プロパティとしてのトップレベルの伝播制約が設けられ、
トップレベルの伝播制約が「認証されたドメイン（ＡＤ）に限定」、「地域に限定」（ＲＴＧＡ）及び「ローカル環境（ＬＥ）に限定」（ＲＴＬＥ）のうちの何れか１つである場合、コンテンツの外部伝播制約を構成することを特徴とするコンテンツ保護方法。
【請求項２３】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
コンテンツのＵＳＩデータ構造において、ＣＰＣＭシステムにおけるコンテンツのデフォルトのコンテンツ管理使用権を定義するトップレベルの伝播制約を含む第１のセクションと、これに続く関連するコンテンツ管理ＵＳＩが設けられ、
「ＣＰＣＭシステムに限定」、「認証されたドメイン（ＡＤ）に限定」、「地域に限定」（ＲＴＧＡ）及び「ローカル環境（ＬＥ）に限定」（ＲＴＬＥ）のうちの何れか１つの伝播制約使用プロパティとしてのトップレベルの伝播制約が設けられ、
トップレベルの又は外部伝播制約が「伝播制約なし」（ＰＲＮＡ）であり、更なる伝播制約が指定されていない場合、第１のトップレベル伝播制約は、「ＣＰＣＭシステムに限定」であり、第１のトップレベルのコンテンツ管理ＵＳＩは、「コピー制御なし」（ＣＣＮＡ）及び「スクランブル禁止」（ＤＮＳＣ）の何れか１つを含み、他のコンテンツ管理ＵＳＩは指定されないことを特徴とするコンテンツ保護方法。
【請求項２４】
各ステップがコンピュータによって遂行される、機器のネットワークに基づくコンテンツ保護及びコピー管理システムのために、保護されたオーディオ／ビデオコンテンツを提供するコンテンツ保護方法において、
（ａ）コンテンツであるプライマリデータ（ＰＤａｔ）を取得するステップと、
（ｂ）上記提供されるコンテンツに関する使用権を記述するコンテンツ使用権情報（ＣＵＲＩ）を取得するステップと、
（ｃ）上記コンテンツ使用権情報（ＣＵＲＩ）又はその派生情報を上記プライマリデータ（ＰＤａｔ）又はその派生情報に埋め込み、２次データ（ＳＤａｔ）を生成するステップ（Ｓ７）と、
（ｄ）コンテンツ使用権情報（ＣＵＲＩ）が埋め込まれた、上記２次データ（ＳＤａｔ）又はその派生データを提供するステップとを有し、
上記コンテンツ使用権情報（ＣＵＲＩ）は、上記プライマリデータ（ＰＤａｔ）又は上記その派生情報内にバイナリコード形式で埋め込まれ、
上記コンテンツ使用権情報（ＣＵＲＩ）のセットは、必須のコピー制御、必須の伝播制約、同時再生カウント、コンテンツスクランブル禁止、コンテンツ使用の時間的制約を含むアイテムのグループの複数のアイテムを含み、
「ＣＰＣＭ拡張による使用」について外部伝播制約を設け、特定の既知のシステムの領域内で、所定のコンテンツと共に、ＣＰＣＭシステムへの拡張として使用される異なるＵＳＩを提供することを特徴とするコンテンツ保護方法。
【請求項２５】
各ＣＰＣＭ拡張システムについて、「ＣＰＣＭ拡張による使用」のための１つの外部伝播制約だけが所定のコンテンツに指定されることを特徴とする請求項２４に記載のコンテンツ保護方法。
【請求項２６】
「ＣＰＣＭ拡張による使用」について１つ以上の外部伝播制約があり、各外部伝播制約は、各ＣＰＣＭ拡張システムのための代替のコンテンツ管理使用プロパティを提供することを特徴とする請求項２４に記載のコンテンツ保護方法。
【請求項２７】
外部伝播制約が「ＡＤに限定」であり、そのコンテンツ管理が「１世代のコピー可」又は「コピー制御なし」であり、第２の外部伝播制約が「ローカル環境に限定」であり、そのコンテンツ管理が「コピー禁止」であることを特徴とする請求項２１に記載のコンテンツ保護方法。
【発明の詳細な説明】
【技術分野】
【０００１】
本発明は、保護されたオーディオ／ビデオコンテンツを提供するコンテンツ保護方法に関する。
【０００２】
詳しくは、本発明は、機器のネットワークに基づくコンテンツ保護及びコピー管理システムのために保護されたオーディオ／ビデオコンテンツを提供するコンテンツ保護方法に関する。
【背景技術】
【０００３】
機器のネットワーク、及びこのようなネットワークを動作させる処理において、データ及びコンテンツを提供する手法は、益々重要になってきている。また、各コンテンツアイテムをネットワーク接続された機器に提供する際、オーディオ／ビジュアルコンテンツ保護及びコピー管理要求に関して幾つかのセキュリティ問題も浮上している。
【０００４】
保護されたコンテンツを提供するための既知の技術、特にコンテンツ保護及びコピー管理システムにおいて又はコンテンツ保護及びコピー管理システムのために保護されたコンテンツ使用規則ＵＳＩを提供する技術は、コンテンツ保護及びコピー管理要求に関してデータ負荷がかなり高い。
【発明の開示】
【発明が解決しようとする課題】
【０００５】
本発明の目的は、オーディオ／ビデオコンテンツ及び又はオーディオ／ビデオコンテンツストリームのための使用規則ＵＲ又は使用状態情報ＵＳＩのより効率的でより実用的な通信技術を提供するコンテンツ保護方法を提供することである。
【課題を解決するための手段】
【０００６】
この目的は、独立請求項１、２、５、６に基づくコンテンツ保護方法によって達成される。本発明に基づくコンテンツ保護方法の好適な実施の形態は、従属する請求項に定義されている。更に、この目的は、請求項３７記載のコンテンツ保護システム又はコンテンツ保護装置、請求項３８記載のコンピュータプログラム、請求項３９記載のコンピュータにより読取可能な媒体、請求項４０記載の使用権情報（usage rights information：ＣＵＲＩ）及び／又は使用状態情報（usage state information：ＵＳＩ）によって達成される。
【０００７】
本発明に基づくコンテンツ保護方法は、特に、コンテンツ保護及びコピー管理システムに適合し、又はコンテンツ保護及びコピー管理システムのために機能し、（ａ）コンテンツアイテムとして、又はコンテンツアイテムを表すプライマリデータを取得するステップと、（ｂ）提供されるコンテンツアイテムに関する使用権又は使用状態を記述するコンテンツ使用権情報及び／又は使用状態情報を取得するステップと、（ｃ）コンテンツ使用権情報及び／又は使用状態情報又はその派生情報をプライマリデータ又はその派生情報に埋め込み、提供されるコンテンツアイテムとして、又は提供されるコンテンツアイテムを表す２次データを生成するステップと、（ｄ）２次データ又はその派生情報に、提供されるコンテンツアイテムとして、埋め込まれたコンテンツ使用権情報及び／又は使用状態情報を提供するステップとを有する。
【０００８】
したがって、本発明の広義の主要な思想は、保護されたコンテンツ使用権情報及び／又は使用状態情報を、コンテンツアイテムの基礎として機能する、取得したプライマリデータに埋め込み、これにより、プライマリデータに、コンテンツアイテムとして埋め込まれたコンテンツ使用権情報及び／又は使用状態情報を提供することである。
【０００９】
コンテンツ使用権情報及び／又は使用状態情報は、プライマリデータ又はその派生情報内に構造化されたバイナリコード形式で埋め込んでもよい。これには、特に、表２に示すようなバイナリコードを用いて相互運用性を達成できるという利点がある。
【００１０】
これに代えて又はこれに加えて、コンテンツ使用権情報及び／又は使用状態情報を、プライマリデータ又はその派生情報内に繰り返し、特に周期的に、埋め込んでもよい。これは、特に、例えばＤＶＢ等の連続的なコンテンツストリームにおいて特に好適である。
【００１１】
この手法は、独自に、又は組合せによって、コンテンツ使用権情報（ＣＵＲＩ）及び／又は使用状態情報（ＵＳＩ）及びその処理に関する効率、相互運用性及び使い易さを保証する。
【００１２】
本発明に基づくコンテンツ保護方法の好ましい実施の形態では、プライマリデータを取得するステップ（ａ）は、プライマリデータを部分的に又は完全に生成するサブステップを含んでいてもよい。
【００１３】
或いは、プライマリデータを取得するステップ（ａ）は、外部ソースからプライマリデータ又はそのプリフォームを部分的に又は完全に受信するサブステップを含んでいてもよい。
【００１４】
コンテンツ使用権情報及び／又は使用状態情報を取得するステップ（ｂ）は、所定のターゲットフォーマットで及び／又は所定の権利のターゲット範囲でコンテンツ使用権情報及び／又は使用状態情報を部分的に又は完全に生成するサブステップを含んでいてもよい。
【００１５】
これに代えて又はこれに加えて、コンテンツ使用権情報及び／又は使用状態情報を取得するステップ（ｂ）は、外部ソースから及び／又は所定の入力フォーマットでコンテンツ使用権情報及び／又は使用状態情報を受信するサブステップを含んでいてもよい。
【００１６】
入力フォーマットとして１つの既知のフォーマットを用いてもよい。これによって、既知のフォーマットを特定の単純な共通のＵＲ／ＵＳＩフォーマットに変換することによって、相互運用性が実現される。
【００１７】
受信されたコンテンツ使用権情報及び／又は使用状態情報に対し、受信されたコンテンツ使用権情報及び／又は使用状態情報の入力フォーマットを所定のターゲットフォーマットに変換する使用権フォーマット変換のサブステップを実行してもよい。
【００１８】
使用権フォーマット変換のサブステップにおいて、所定の権利のターゲット範囲の全てをカバーするようにコンテンツ使用権情報及び／又は使用状態情報も変換してもよい。
【００１９】
コンテンツアイテム又はその一部として、単一のファイル又は単一の画像を含む単一のデータアイテムを提供してもよい。
【００２０】
これに代えて又はこれに加えて、コンテンツアイテム又はその一部として、ファイルのシーケンス、画像及び／又は音声のシーケンスを含むデータストリームを提供してもよい。
【００２１】
本発明の更に好適な実施の形態においては、コンテンツ保護方法は、複数のコンテンツアイテム又はそれのプリフォームを多重化し、多重化されたコンテンツアイテムの各コンテンツ使用権情報及び／又は使用状態情報を多重化するステップを更に有する。
【００２２】
コンテンツ使用権情報及び／又は使用状態情報又はその派生情報をプライマリデータ又はその派生情報に埋め込むステップは、提供される複数のコンテンツアイテムのプライマリデータを共通の多重化されたコンテンツストリームに結合する多重化のサブプロセスを含んでいてもよい。
【００２３】
更に、コンテンツ使用権情報及び／又は使用状態情報又はその派生情報をプライマリデータ又はその派生情報に埋め込むステップは、コンテンツ使用権情報及び／又は使用状態情報を将来利用可能なコンテンツアイテムに埋め込んでもよい。
【００２４】
コンテンツ使用権情報及び／又は使用状態情報から、既に定義されている補助データの他の成分を生成してもよい。
【００２５】
コンテンツ使用権情報及び／又は使用状態情報のターゲットフォーマット及び／又はコンテンツ使用権情報及び／又は使用状態情報のターゲット範囲を埋め込むステップは、基底にあるコンテンツ保護及びコピー管理システム又はＣＰＣＭシステムに基づいて選択してもよい。
【００２６】
コンテンツ使用権情報及び／又は使用状態情報のターゲットフォーマット及び／又はコンテンツ使用権情報及び／又は使用状態情報のターゲット範囲を埋め込むステップ（ｃ）は、基底にあるコンテンツ保護及びコピー管理システム又はＣＰＣＭシステムに関して、コンテンツ使用権情報及び／又は使用状態情報の最小及び／又は最適なセットをカバーするように選択してもよい。
【００２７】
コンテンツ使用権情報及び／又は使用状態情報のセットは、コンテンツ使用権情報及び／又は使用状態情報の必須のセットと、コンテンツ使用権情報及び／又は使用状態情報の任意の又は断定的なセットとを含んでいてもよい。
【００２８】
各提供されるコンテンツアイテムは、コンテンツ使用権情報及び／又は使用状態情報の必須のセットのうちの少なくとも１つのアイテムを有していてもよい。
【００２９】
コンテンツ使用権情報及び／又は使用状態情報のセットは、コンテンツ管理ファンクションに関するコンテンツ使用権情報及び／又は使用状態情報のセットと、コンテンツ伝播制約に関するコンテンツ使用権情報及び／又は使用状態情報のセットを含んでいてもよい。
【００３０】
各提供されるコンテンツアイテムは、コンテンツ管理のための使用権情報及び／又は使用状態情報のセットの少なくとも１つのアイテムと、伝播制約のための使用権情報及び／又は使用状態情報のセットの少なくとも１つのアイテムを有していてもよい。
【００３１】
コンテンツ使用権情報及び／又は使用状態情報のセットは、必須のコピー制御、必須の伝播制約、同時再生カウント、コンテンツスクランブル禁止、コンテンツ使用の時間的制約を含むアイテムのグループの１又は任意の複数のアイテムを含んでいてもよい。
【００３２】
コピー制御のための使用状態情報は、以下のアイテムのグループのうちの１又は任意の複数のアイテムを含んでいてもよい。
【００３３】
・コピー禁止記憶不可（Copy Never Zero Retention：ＣＮＺＲ）：コンテンツのコピーは、許可されず、再生を一時停止するためのユーザがアクセスできない安全な一時的なバッファコピーも許可されない。
【００３４】
・コピー禁止（Copy Never：ＣＮ）：コンテンツのコピーは、許可されないが、再生を一時停止するための一時的なバッファコピーは許可される。
【００３５】
・一回のみコピー可（Copy Once：Ｃ１）：コンテンツの単一のコピーを一個だけ作成できる。
【００３６】
・１世代のみコピー可（Copy One Generation：Ｃ１Ｇ）：コンテンツを繰り返しコピーできるが、各コピーには、「これ以上のコピー禁止」のマークが付される。
【００３７】
・これ以上のコピー禁止（Copy No More：ＣＮＭ）：更なるコピーを禁止するが、再生を一時停止するための一時的なバッファコピーは許可される。
【００３８】
・コピー制御なし（Copy Control Not Asserted：ＣＣＮＡ）：コンテンツを無制限にコピーできる。
【００３９】
これに加えて又はこれに代えて、伝播制約のための使用状態情報は、以下のアイテムのグループのうちの１又は任意の複数のアイテムを含んでいてもよい。
【００４０】
・コンテンツ保護及びコピー管理システムに限定（Restrict to Content Protection and Copy Management System：ＲＴＣＰＣＭ）：この状態が適用されているコンテンツのアイテムは、ＣＰＣＭシステムによって、保護されるコンテンツのためのデフォルト伝播制約設定によって保護された状態を維持する。
【００４１】
・認証されたドメインに限定（Restrict to Authorized Domain：ＲＴＡＤ）：この状態が適用されているコンテンツのアイテムは、コンテンツを受信したユーザに属するＣＰＣＭに準拠する機器の組を超えて伝播することが禁止され、この場合、ユーザは、自宅でコンテンツを使用し、遠隔位置、例えば、別宅又は移動体端末からアクセスすることができる。
【００４２】
・ローカルの認証されたドメインに限定（Restrict to Localized Authorized Domain：ＲＴＬＡＤ）：この状態が適用されているコンテンツのアイテムは、それぞれの認証されたドメイン（ＡＤ）内でコンテンツがユーザ環境に取り込まれた位置の近傍を超えて、電子的転送によって伝播することが禁止される。
【００４３】
・地域に限定（Restrict to Geographic Area：ＲＴＧＡ）：この状態が適用されているコンテンツのアイテムは、電子的転送によって、指定された地域外に伝播することが禁止される。
【００４４】
・ローカル環境に限定（Restrict to Local Environment：ＲＴＬＥ）：この状態が適用されているコンテンツのアイテムは、コンテンツがユーザ環境に取り込まれた位置の近傍を超えて、電子的転送によって伝播することが禁止される。
【００４５】
・エクスポート制御（Controlled Export：ＣＥ）：ＣＰＣＭシステムが暗示的に又は包括的に信用していない異なる保護システムにコンテンツのアイテムを伝播させることを許可又は禁止する。
【００４６】
・ＣＰＣＭ拡張による使用（Usage by CPCM extension：ＥＸＴ）：この状態が適用されているコンテンツのアイテムは、ＣＰＣＭシステムへの拡張として、コンテンツ保護及びコピー管理機能を提供するある周知のシステムの領域内で適用される別個のコンテンツ管理使用プロパティを有する。
【００４７】
・伝播制約なし（Propagation Restriction Not Asserted：ＰＲＮＡ）：コンテンツのアイテムは、コンテンツ保護及び権利管理システム又はＣＰＣＭフレームワークの外にも再配信できる。
【００４８】
提供される各コンテンツアイテムに関して許可及び／又は禁止された機能を示すアイコンを生成及び／又は表示してもよい。
【００４９】
また、本発明の更なる側面として、本発明は、上述したコンテンツ保護方法及びこのコンテンツ保護方法のステップを実現する手段を備えるコンテンツ保護システム又はコンテンツ保護装置を提供する。
【００５０】
更に、本発明の更なる側面として、本発明は、コンピュータ又はデジタルシグナルプロセッサによって実行されて、上述したコンテンツ保護方法、若しくは上述したコンテンツ保護システム又はコンテンツ保護装置を実現するコンピュータプログラムからなるコンピュータプログラムを提供する。
【００５１】
更に、本発明は、このコンピュータプログラムが記録されたコンピュータにより読取可能な媒体を提供する。
【００５２】
更に、本発明は、機器のネットワークに基づくコンテンツ保護及びコピー管理システムにおいて保護されたオーディオ／ビデオコンテンツのための使用権情報（ＣＵＲＩ）及び／又は使用状態情報（ＵＳＩ）を提供する。
【００５３】
使用権情報（ＣＵＲＩ）及び／又は使用状態情報（ＵＳＩ）は、必須のコピー制御、必須の伝播制約、同時再生カウント、コンテンツスクランブル禁止、コンテンツ使用の時間的制約を含むアイテムのグループの１又は任意の複数のアイテムを含む。
【００５４】
使用権情報（ＣＵＲＩ）及び／又は使用状態情報（ＵＳＩ）は、好ましくは、必須のコピー制御、必須の伝播制約、断定的な同時再生カウント、断定的なコンテンツスクランブル禁止、断定的なコンテンツ使用の時間的制約を含むアイテムのグループの１又は任意の複数のアイテムを含む。
【００５５】
使用権情報（ＣＵＲＩ）及び／又は使用状態情報（ＵＳＩ）において、コピー制御のための使用状態情報（ＵＳＩ）は、以下のアイテムのグループのうちの１つのアイテムを包含する。
【００５６】
・コピー禁止記憶不可（Copy Never Zero Retention：ＣＮＺＲ）：コンテンツのコピーは、許可されず、再生を一時停止するためのユーザがアクセスできない安全な一時的なバッファコピーも許可されない。
【００５７】
・コピー禁止（Copy Never：ＣＮ）：コンテンツのコピーは、許可されないが、再生を一時停止するための一時的なバッファコピーは許可される。
【００５８】
・一回のみコピー可（Copy Once：Ｃ１）：コンテンツの単一のコピーを一個だけ作成できる。
【００５９】
・１世代のみコピー可（Copy One Generation：Ｃ１Ｇ）：コンテンツを繰り返しコピーできるが、各コピーには、「これ以上のコピー禁止」のマークが付される。
【００６０】
・これ以上のコピー禁止（Copy No More：ＣＮＭ）：更なるコピーを禁止する。
【００６１】
・コピー制御なし（Copy Control Not Asserted：ＣＣＮＡ）：コンテンツを無制限にコピーできる。
【００６２】
使用状態情報（ＵＳＩ）は、コンテンツのアイテムの同時再生の数を限定する「同時再生カウント」のアイテムを含んでいてもよい。
【００６３】
使用権情報（ＣＵＲＩ）及び／又は使用状態情報（ＵＳＩ）は、所定のコンテンツアイテムの一時的な使用のみを許可できる「コンテンツ使用の時間的制約」のアイテムを含んでいていもよい。
【００６４】
使用権情報（ＣＵＲＩ）及び／又は使用状態情報（ＵＳＩ）は、暗号化ツールを用いたスクランブリングによるコンテンツの保護を強制しないことを選択できる「コンテンツスクランブル不要」のアイテムを含んでいてもよい。
【００６５】
これに加えて又はこれに代えて、伝播制約のための使用権情報（ＣＵＲＩ）及び／又は使用状態情報（ＵＳＩ）は、以下のアイテムのグループのうちの１つのアイテムを包含してもよい。
【００６６】
・コンテンツ保護及びコピー管理システムに限定（Restrict to Content Protection and Copy Management System：ＲＴＣＰＣＭ）：この状態が適用されているコンテンツのアイテムは、ＣＰＣＭシステムによって、保護されるコンテンツのためのデフォルト伝播制約設定によって保護された状態を維持する。
【００６７】
・認証されたドメインに限定（Restrict to Authorized Domain：ＲＴＡＤ）：この状態が適用されているコンテンツのアイテムは、コンテンツを受信したユーザに属するＣＰＣＭに準拠する機器の組を超えて伝播することが禁止され、この場合、ユーザは、自宅でコンテンツを使用し、遠隔位置、例えば、別宅又は移動体端末からアクセスすることができる。
【００６８】
・ローカルの認証されたドメインに限定（Restrict to Localized Authorized Domain：ＲＴＬＡＤ）：この状態が適用されているコンテンツのアイテムは、それぞれの認証されたドメイン（ＡＤ）内でコンテンツがユーザ環境に取り込まれた位置の近傍を超えて、電子的転送によって伝播することが禁止される。したがって、ローカルのＡＤとは、ＡＤの部分集合である。
【００６９】
・地域に限定（Restrict to Geographic Area：ＲＴＧＡ）：この状態が適用されているコンテンツのアイテムは、電子的転送によって、指定された地域外に伝播することが禁止される。
【００７０】
・ローカル環境（ＬＥ）に限定（Restrict to Local Environment：ＲＴＬＥ）：この状態が適用されているコンテンツのアイテムは、コンテンツがユーザ環境に取り込まれた位置の近傍を超えて、電子的転送によって伝播することが禁止される。したがって、ＬＥは、基本的に、特定されていれば、地域の部分集合である。
【００７１】
・エクスポート制御（Controlled Export：ＣＥ）：ＣＰＣＭシステムが暗示的に又は包括的に信用していない異なる保護システムにコンテンツのアイテムを伝播させることを許可又は禁止する。
【００７２】
・ＣＰＣＭ拡張による使用（Usage by CPCM extension：ＥＸＴ）：この状態が適用されているコンテンツのアイテムは、ＣＰＣＭシステムへの拡張として、コンテンツ保護及びコピー管理機能を提供するある周知のシステムの領域内で適用される別個のコンテンツ管理使用プロパティを有する。
【００７３】
・伝播制約なし（Propagation Restriction Not Asserted：ＰＲＮＡ）：コンテンツのアイテムは、ＣＰＣＭフレームワークの外にも再配信できる。
【００７４】
使用権情報及び／又は使用状態情報において、第１の又は使用プロパティ情報部分は、使用権情報及び／又は使用状態情報アイテムの１つを示すために用いることができ、第２の又は使用パラメータ情報部分は、第１の又は使用プロパティ情報部分によって示されている情報アイテムの更なる使用権情報及び／又は使用状態情報を指定するために用いることができる。
【００７５】
第１の又は使用プロパティ情報部分は、例えば、４バイナリビットからなる第１の有限バイナリコードに１対１の関係でマッピングしてもよく、及び／又は第２の又は使用パラメータ情報部分は、例えば４バイナリビットからなる第２の有限バイナリコードに１対１の関係でマッピングしてもよい。
【００７６】
これに加えて又はこれに代えて、使用権情報及び／又は使用状態情報において、第１の又は使用プロパティ情報部分は、各使用権情報及び／又は使用状態情報のアイテムの第１の有限バイナリコードのビットの順序付けられた結合として、使用権情報及び／又は使用状態情報に埋め込んでもよく、及び／又は第２の又は使用パラメータ情報部分は、各使用権情報及び／又は使用状態情報のアイテムの更なる仕様を示す第２の有限バイナリコードのビットの順序付けられた結合として、使用権情報及び／又は使用状態情報に埋め込んでもよい。
【００７７】
これに加えて及びこれに代えて、第１の又は使用プロパティ情報部分の各使用権情報及び／又は使用状態情報アイテムの第１の有限バイナリコードのビットと、第２の又は使用パラメータ情報部分の各使用権情報及び／又は使用状態情報のアイテムの更なる仕様を示す第２の有限バイナリコードのビットとの順序付けられた結合として使用権情報及び／又は使用状態情報に埋め込んでもよい。
【００７８】
好ましくは、使用権情報及び／又は使用状態情報は、第１の又は使用プロパティ情報部分の各使用権情報及び／又は使用状態情報アイテムの第１の有限バイナリコードのビットに関して、及び第２の又は使用パラメータ情報部分の各使用権情報及び／又は使用状態情報アイテムの更なる仕様を示す第２の有限バイナリコードのビットに関して、以下の表に基づいて構成してもよい。
【００７９】
【表１】
0005202947.tif 000002
【００８０】
１６個の可能な使用プロパティコードのうち、上位８ビットは、コンテンツ管理使用プロパティのために用いられ、下位８ビットは、伝播制約使用プロパティのために用いられる。
【００８１】
コンテンツ管理使用権情報及び／又は使用状態情報は、第１の又は使用プロパティ情報部分の各使用権情報及び／又は使用状態情報アイテムの第１の有限バイナリコードのビットに関して、及び第２の又は使用パラメータ情報部分の各使用権情報及び／又は使用状態情報アイテムの更なる仕様を示す第２の有限バイナリコードのビットに関して、以下の表に基づいて構成してもよい。
【００８２】
【表２】
0005202947.tif 000003
【００８３】
伝播制約使用権情報及び／又は使用状態情報は、第１の又は使用プロパティ情報部分の各使用権情報及び／又は使用状態情報アイテムの第１の有限バイナリコードのビットに関して、及び第２の又は使用パラメータ情報部分の各使用権情報及び／又は使用状態情報アイテムの更なる仕様を示す第２の有限バイナリコードのビットに関して、以下の表に基づいて構成してもよい。
【００８４】
【表３】
0005202947.tif 000004
【００８５】
地域をシグナリングする手法では、例えば、国コードのためのＩＳＯ３１６６等の既存の規格を用いてもよい。
【００８６】
このシンタクスにより、ＵＳＩのコーディングを柔軟且つ効率的に行うことができ、異なる伝播領域について、異なるコンテンツ管理ＵＳＩの仕様を実現することができる。完全なＵＳＩシンタクスにより、各伝播制約エントリの後にコンテンツ管理ＵＳＩエントリをコーディングでき、その領域での使用規則を指定することができる。
【００８７】
ＵＳＩの基本的なセットは、多くの場合、伝播制約使用プロパティと、これに続く、伝播領域内で有効なコンテンツ管理使用プロパティのセットとである。
【００８８】
コンテンツのアイテムの完全なＵＳＩデータ構造は、コンテンツのために意図している伝播及び管理規則に応じて、ＵＳＩの基本的なセットの１つ以上を含んでいてもよい。
【００８９】
最も単純なケースでは、コンテンツのアイテムについて、１つの基本的ユニットのＵＳＩのみを指定する。また、この構造によって、より多くの複雑なシナリオを定義でき、コンテンツのアイテムの完全なＵＳＩデータ構造は、このようなＵＳＩの幾つかの基本的ユニットから構成することができる。異なる伝播領域におけるコンテンツのアイテムの構造化のためには、論理的な規則がある。以下では、これらの規則について説明する。
【００９０】
コンテンツのアイテムのためのＵＳＩデータ構造においては、コンテンツアイテムのトップレベルのコンテンツ管理使用権を定義するデフォルト伝播及びコンテンツ管理ＵＳＩを含む第１のセクションを設ける。
【００９１】
コンテンツアイテムが、ＣＰＣＭシステム内で、限定された領域外への伝播を禁止する伝播制約を断言する場合、伝播制約は、コンテンツアイテムのデフォルトのトップレベルの伝播制約である。
【００９２】
この第１のデフォルトセクションの次に、任意に、コンテンツアイテムの外部伝播制約ＵＳＩを定義するセクションを設けてもよい。外部伝播制約は、存在する場合、デフォルト伝播制約のみになる「ＣＰＣＭシステムに限定」を除く伝播制約使用プロパティの何れか１つであってもよい。
【００９３】
デフォルト又は外部伝播制約が「伝播制約なし」の場合、他の伝播制約は指定されない。このような伝播制約設定は、第１のデフォルトコンテンツ管理ＵＳＩが「コピー制御なし」（ＣＣＮＡ）及び「スクランブル禁止」（ＤＮＳＣ）のセットを含み、他のコンテンツ管理ＵＳＩが指定又は断言されないことを含意する。ＵＳＩのセットは、ＣＰＣＭシステム内でクリエイティブコモンズ又はこれに類するライセンスが適用されるコンテンツについて適切な使用規則のセットを提供する。
【００９４】
「エクスポート制御」のための外部伝播制約がある場合、これは、そのコンテンツのための唯一のエクスポート制御ＵＳＩになる。この結果、エクスポート制御は、包括的に有効な伝播制約になる。
【００９５】
この外部伝播制約ＵＳＩ又は各この外部伝播制約ＵＳＩの次に外部伝播制約ＵＳＩに対応する領域内だけに適用される所定のコンテンツアイテムのためのコンテンツ管理使用規則の異なるセットを指定するコンテンツ管理ＵＳＩの更なるセットを設けてもよい。
【００９６】
例えば、あるコンテンツは、認証されたドメイン内で自由にコピーでき、認証されたドメインの外側では、再生のみを許可するようにしてもよい。この場合、包括的に有効なコンテンツ管理ＵＳＩは、「コピー禁止」（ＣＮ）を指定し、外部伝播制約は、「認証されたドメインに限定」に設定され、コンテンツ管理ＵＳＩの更なる組は、「コピー制御なし」（ＣＣＮＡ）を指定するように定義される。
【００９７】
外部伝播制約のためのコンテンツ管理ＵＳＩは、通常、包括的に適用可能なコンテンツ管理ＵＳＩより制限が緩い。
【００９８】
「認証されたドメインに限定」、「地域に限定」及び／又は「環境をローカルに限定」のうちの任意の組合せの１つを設定することによって、複数の外部伝播制約を指定することができる。外部伝播制約が「地域に限定」及び「環境をローカルに限定」の両方について指定された場合、「ローカル環境に限定」のコンテンツ管理ＵＳＩは、「地域に限定」のコンテンツ管理ＵＳＩより制限が緩い。
【００９９】
外部伝播制約ＵＳＩ及び各コンテンツ管理ＵＳＩセクションの何れかの次に所定のコンテンツアイテムのために内部伝播制約ＵＳＩを定義するセクションを設けてもよい。内部伝播制約は、伝播制約使用プロパティ「ローカルの認証されたドメインに限定（ＡＤ）」（ＲＴＬＡＤ）及び「ローカル環境（ＬＥ）に限定」（ＲＴＬＥ）の何れかであってもよい。外部伝播制約が「認証されたドメイン（ＡＤ）に限定」（ＲＴＡＤ）である場合、「ローカルの認証されたドメイン（ＡＤ）に限定」（ＲＴＬＡＤ）のみが対応する内部伝播制約ＵＳＩとして有効である。外部伝播制約が「地域に限定」（ＲＴＧＡ）である場合、「ローカル環境（ＬＥ）に限定」（ＲＴＬＥ）のみが対応する内部伝播制約ＵＳＩとして有効である。
【０１００】
内部伝播制約ＵＳＩの次に内部伝播制約ＵＳＩに対応する領域内だけに適用される所定のコンテンツアイテムのためのコンテンツ管理使用規則の異なるセットを指定するコンテンツ管理ＵＳＩの更なるセットを設けてもよい。
【０１０１】
例えば、ローカルの認証されたドメイン内で認証されたドメインにおける最初の放送から２４時間以内のみ、コンテンツを自由に再生できるようにすることが望まれる場合がある。この場合、外部伝播制約は、「認証されたドメインに限定」に設定され、コンテンツ管理ＵＳＩの更なるセットは、使用パラメータ「始期」とともに「時間的な使用制約」を指定し、期間引数を２４時間時間に対応する値に設定し、最初の放送の後に、内部伝播制約を「ローカルの認証されたドメインに限定」に設定し、コンテンツ管理ＵＳＩの更なるセットは、「時間的な使用制約」を「制約なし」の使用パラメータ設定で指定し、これによって、認証されたドメインのローカルではない部分の時間的な使用制約を緩める。
【０１０２】
通常、内部伝播制約のためのコンテンツ管理ＵＳＩは、関連する外部伝播制約のコンテンツ管理ＵＳＩより緩い。
【０１０３】
また、コンテンツアイテムについて、両方の伝播制約が断言される場合、ローカルの認証されたドメイン内部伝播制約のために指定されたコンテンツ管理ＵＳＩは、通常、ローカル環境に指定されたコンテンツ管理ＵＳＩより制限が緩い。
【０１０４】
伝播制約「ローカル環境に限定」は、同じコンテンツアイテムについて、外部伝播制約又は内部伝播制約の何れかであって両方ではない。
【０１０５】
第１の包括的に有効なセクションにおいて指定されるコンテンツ管理ＵＳＩ使用プロパティ設定は、通常、各コンテンツ管理ＵＳＩ使用プロパティが外側伝播制約及び／又は内部伝播制約について異なる設定を含んでいない限り、外側伝播制約及び内部伝播制約においても有効である。
【０１０６】
以下、本発明の更なる側面を説明する。
【０１０７】
使用権情報（ＣＵＲＩ）及び／又は使用状態情報（ＵＳＩ）は、第１の又は使用プロパティ情報部分（ＵＰｒｏｐ）の各使用権情報（ＣＵＲＩ）及び／又は使用状態情報（ＵＳＩ）アイテムの第１の有限バイナリコードのビットに関して、及び第２の又は使用パラメータ情報部分（ＵＰａｒ）の各使用権情報（ＣＵＲＩ）及び／又は使用状態情報（ＵＳＩ）アイテムの更なる仕様を示す第２の有限バイナリコードのビットに関して、以下の表に基づいて構成してもよい。
【０１０８】
【表４】
0005202947.tif 000005
【０１０９】
及び
【０１１０】
【表５】
0005202947.tif 000006
【０１１１】
コンテンツのアイテムのＵＳＩデータ構造において、ＣＰＣＭシステムにおけるコンテンツアイテムのデフォルトのコンテンツ管理使用権を定義するトップレベルの伝播制約を含む第１のセクションと、これに続く関連するコンテンツ管理ＵＳＩを設けてもよい。
【０１１２】
トップレベルの伝播制約は、「ＣＰＣＭシステムに限定」、「認証されたドメイン（ＡＤ）に限定」、「地域に限定」（ＲＴＧＡ）及び「ローカル環境（ＬＥ）に限定」（ＲＴＬＥ）のうちの何れか１つの伝播制約使用プロパティであってもよい。
【０１１３】
必須のトップレベルの伝播制約及びコンテンツ管理ＵＳＩを含む第１のセクションの次にコンテンツアイテムのための外部伝播制約ＵＳＩを定義するセクションを設けてもよい
デフォルト伝播制約が存在する場合、存在する場合、デフォルト伝播制約のみになる「ＣＰＣＭシステムに限定」を除く伝播制約使用プロパティの何れか１つである外部伝播制約を設けてもよい。
【０１１４】
トップレベルの伝播制約が「認証されたドメイン（ＡＤ）に限定」、「地域に限定」（ＲＴＧＡ）及び「ローカル環境（ＬＥ）に限定」（ＲＴＬＥ）のうちの何れか１つである場合、コンテンツの外部伝播制約を構成し、何れの場合も、コンテンツは、指示された伝播領域外に伝播することを意図されない。
【０１１５】
トップレベルの又は外部伝播制約が「伝播制約なし」（ＰＲＮＡ）であり、更なる伝播制約が指定されていない場合、第１のトップレベル伝播制約は、「ＣＰＣＭシステムに限定」であり、第１のトップレベルのコンテンツ管理ＵＳＩは、「コピー制御なし」（ＣＣＮＡ）及び「スクランブル禁止」（ＤＮＳＣ）の何れか１つを含み、他のコンテンツ管理ＵＳＩは指定されない。
【０１１６】
所定のコンテンツのためのエクスポート制御ＵＳＩとなる「エクスポート制御」の外部伝播制約を設け、効率的、包括的及び有効な伝播制約としてエクスポート制御を実現してもよい。
【０１１７】
「ＣＰＣＭ拡張による使用」について外部伝播制約を設け、特定の既知のシステムの領域内で、所定のコンテンツと共に、ＣＰＣＭシステムへの拡張として使用される異なるＵＳＩを提供してもよい。
【０１１８】
各ＣＰＣＭ拡張システムについて、「ＣＰＣＭ拡張による使用」のための１つの外部伝播制約だけを所定のコンテンツに指定してもよい。
【０１１９】
「ＣＰＣＭ拡張による使用」について１つ以上の外部伝播制約があってもよく、各外部伝播制約は、各ＣＰＣＭ拡張システムのための代替のコンテンツ管理使用プロパティを提供してもよい。
【０１２０】
「認証されたドメイン（ＡＤ）に限定」及び「地域に限定」（ＲＴＧＡ）の伝播制約使用プロパティの何れか１つとしての外部伝播制約ＵＳＩの次に、外部伝播制約ＵＳＩに対応する領域内だけに適用される所定のコンテンツアイテムのコンテンツ管理使用規則の異なるセットを指定するコンテンツ管理ＵＳＩの更なるセットを設けてもよい。
【０１２１】
外部伝播制約のためのコンテンツ管理ＵＳＩは、適用可能なトップレベルコンテンツ管理ＵＳＩより制限が緩くてもよい。
【０１２２】
外部伝播制約ＵＳＩ及び各コンテンツ管理ＵＳＩセクションの何れかの次に所定のコンテンツアイテムのために内部伝播制約ＵＳＩを定義するセクションを設けてもよい。
【０１２３】
伝播制約使用プロパティ「ローカルの認証されたドメインに限定（ＡＤ）」（ＲＴＬＡＤ）及び「ローカル環境（ＬＥ）に限定」（ＲＴＬＥ）の何れかである内部伝播制約を設けてもよい。
【０１２４】
「認証されたドメイン（ＡＤ）に限定」（ＲＴＡＤ）の外部伝播制約が設けてもよい。「ローカルの認証されたドメイン（ＡＤ）に限定」（ＲＴＬＡＤ）のみが対応する内部伝播制約ＵＳＩとして有効であってもよい。
【０１２５】
「地域に限定」（ＲＴＧＡ）の外部伝播制約が設けてもよい。「ローカル環境（ＬＥ）に限定」（ＲＴＬＥ）のみが対応する内部伝播制約ＵＳＩとして有効であってもよい。
【０１２６】
内部伝播制約ＵＳＩの次に内部伝播制約ＵＳＩに対応する領域内だけに適用される所定のコンテンツアイテムのためのコンテンツ管理使用規則の異なるセットを指定するコンテンツ管理ＵＳＩの更なるセットを設けてもよい。
【０１２７】
内部伝播制約のためのコンテンツ管理ＵＳＩは、関連する外部伝播制約より制限が緩くてもよい。
【０１２８】
コンテンツアイテムについて、両方の伝播制約が断言される場合、ローカルの認証されたドメイン内部伝播制約のために指定されたコンテンツ管理ＵＳＩは、ローカル環境に指定されたコンテンツ管理ＵＳＩより制限が緩くてもよい。
【０１２９】
同じコンテンツアイテムについて、外部伝播制約又は内部伝播制約の何れかであって両方ではない伝播制約「ローカル環境に限定」を設定してもよい。
【０１３０】
第１の包括的に有効なセクションにおいて指定されるコンテンツ管理ＵＳＩ使用プロパティ設定は、各コンテンツ管理ＵＳＩ使用プロパティが外側伝播制約及び／又は内部伝播制約について異なる設定を含んでいない限り、外側伝播制約及び内部伝播制約においても有効である。
【０１３１】
外部制約が「認証されたドメインに限定」である場合、任意の内部制約は、「ローカルの認証されたドメインに限定」であってもよい
外部制約が「地域に限定」である場合、任意の内部制約は、「ローカル環境に限定」であってもよい。
【０１３２】
これらの場合、使用権情報（ＣＵＲＩ）及び／又は使用状態情報（ＵＳＩ）は、より広い領域内で制限された使用のみを許可し、内部領域内でより自由な使用を許可する。
【０１３３】
外部伝播制約が「ＡＤに限定」であり、そのコンテンツ管理が「１世代のコピー可」又は「コピー制御なし」であり、第２の外部伝播制約が「ローカル環境に限定」であり、そのコンテンツ管理が「コピー禁止」であってもよい。
【０１３４】
ＡＤ内でコピーを許可し、他のＡＤの又はＡＤを有さないメンバ及び／又は機器は、ローカルに接続された場合、コンテンツを表示できるのみであってもよい。
【０１３５】
「ダウンロード可能なパッケージ化された媒体」モデルに、外部伝播制約として、「ＡＤに限定」を設定し、コンテンツ管理として、「一回のみコピー可」を設定してもよい。
【０１３６】
「有料テレビジョン放送コンテンツ」モデルに、外部伝播制約として、「ＡＤに限定」を設定し、コンテンツ管理として、「コピー制御なし」を設定してもよい。
【０１３７】
「無料地上波放送コンテンツ」モデルに、外部伝播制約として、「ＬＥに限定」を設定し、コンテンツ管理として、「コピー制御なし」を設定してもよい。
【０１３８】
「ビデオオンデマンドコンテンツ」モデルに、外部伝播制約として、「ＬＥに限定」を設定し、コンテンツ管理として、「コピー禁止記憶不可」及び「同時再生カウント＝１」を設定してもよい。
【０１３９】
本発明のこれらの及び更なる側面は、以下の説明によって明らかになる。
【０１４０】
本発明は、特に、例えば、ユーザ環境内で、例えば、コンテンツ保護及び／又はコピー管理システムにおいて、オーディオ／ビジュアルコンテンツ使用規則を通信するための方法の定義に関する。
【０１４１】
また、本発明は、消費者ドメインにおけるオーディオ／ビジュアルコンテンツの使用規則の完全なセットと、例えば、コンテンツ保護及びデジタル権利管理システムにおいて、これを通信する方法の定義を提供する。使用規則のセットは、その拡張において最小になるように設計され、このため、関連するコンテンツプロバイダによって要求される妥当な制約の全範囲を実現するとともに、消費者の理解及び同意が得られる。
【発明を実施するための最良の形態】
【０１４２】
図８は、本発明に基づくコンテンツ保護方法の実施の形態の基本的な側面を説明するフローチャートである。第１のステップ（ａ）では、提供されるコンテンツアイテムＣＩとしての又はコンテンツアイテムＣＩを表すプライマリデータＰＤａｔをそのプリフォームとして又はプリフォームを表すデータとして取得する。次に、第２のステップ（ｂ）において、提供されるコンテンツアイテムＣＩに関する使用権ＵＲ又は使用状態ＵＳを記述するコンテンツ使用権情報ＣＵＲＩ及び／又は使用状態情報ＵＳＩを取得する。第３のステップ（ｃ）では、コンテンツ使用権情報ＣＵＲＩ及び／又は使用状態情報ＵＳＩ又はその派生情報をプライマリデータＰＤａｔ又はその派生情報に埋め込む。この結果提供されるコンテンツアイテムＣＩとしての、又はコンテンツアイテムＣＩを表すセカンダリデータＳＤａｔが生成される。最後のステップ（ｄ）では、セカンダリデータＳＤａｔ又はその派生情報を、コンテンツアイテムＣＩとして、埋め込まれたコンテンツ使用権情報ＣＵＲＩ及び／又は使用状態情報ＵＳＩと共に提供及び／又は表現する。
【０１４３】
図９は、本発明に基づくコンテンツを提供するための方法の他の実施の形態の基本的な側面について説明するフローチャートである。第１のステップ（ａ’）では、コンテンツアイテムＣＩの各コンテンツ使用権情報ＣＵＲＩ及び／又は各使用状態情報ＵＳＩ等及びコンテンツアイテムＣＩを含むセカンダリデータＳＤａｔを取得する。次のステップ（ｂ’）では、コンテンツアイテムＣＩを受信又は評価することなく、コンテンツアイテムＣＩのコンテンツ使用権情報ＣＵＲＩ及び／又は各使用状態情報ＵＳＩを抽出する。次のステップ（ｃ’）では、セカンダリデータＳＤａｔから、コンテンツアイテムＣＩのコンテンツ使用権情報ＣＵＲＩ及び／又は各使用状態情報ＵＳＩを表すＣＵＲＩ／ＵＳＩディスプレイアイテムを生成する。最後のステップ（ｄ’）では、ＣＵＲＩ／ＵＳＩディスプレイアイテムを表示し、これにより、コンテンツアイテムを評価する必要なく、コンテンツアイテムＣＩのコンテンツ使用権情報ＣＵＲＩ及び／又は各使用状態情報ＵＳＩをユーザに知らせ、ユーザフレンドリ性を高める。
【０１４４】
図１は、本発明を適用できるオーディオ／ビデオコンテンツ取得及び使用のためのユーザ環境の具体例を示している。このネットワークでは、オーディオ及び／又はビデオ能力及び／又は機能を有するＮ個の任意の機器ｄ１〜ｄ７が相互に接続されている。機器ｄ１及びｄ７は、コンテンツ処理及び／又は表示能力及び／又は機能を有し、機器ｄ２〜ｄ６から各コンテンツアイテムＣＩを受信できる。機器ｄ３〜ｄ６は、例えば、外部ソースから各コンテンツアイテムＣＩ又はプライマリデータＰＤａｔ及び／又はセカンダリデータＳＤａｔを受け取ることができる。機器ｄ２は、コンテンツ記録及びコンテンツ再生能力を有する。
【０１４５】
保護されたオーディオ／ビデオコンテンツは、それぞれが独自の保護方式及びコンテンツ使用規則を有する多くの異なるチャンネルを介してユーザに配布することができる。
【０１４６】
図１０は、コンテンツ使用権情報ＣＵＲＩ及び／又は使用状態情報ＵＳＩが１つ以上の伝播制約をシグナリングできるＣＰＣＭシステムの機能を含む機器の位置を定義する様々な手法の概念を示している。
【０１４７】
エリアＡ１は、ＣＰＣＭシステムの機能を有する機器に関連するユーザ又は世帯の認証されたドメインである。
【０１４８】
エリアＡ２は、ＣＰＣＭシステムの機能を有する何らかの機器又はＣＰＣＭシステム内の何らかのコンテンツアイテムの周囲の領域であり、したがって、エリアＡ２は、ローカル環境とも呼ばれる。
【０１４９】
エリアＡ２ａは、ＣＰＣＭシステムの機能を有し、近くにあり、同じ認証されたドメインに属する機器の組に対応しており、したがって、エリアＡ２ａは、ローカルの認証されたドメインとも呼ばれる。エリアＡ２ａは、認証されたドメインであるエリアＡ１と、ローカル環境であるエリアＡ２の両方の部分集合である。
【０１５０】
エリアＡ２ｂは、ＣＰＣＭシステムの機能を有し、近くにあるが、異なる認証されたドメインに属する又は認証されたドメインに属さない又はＣＰＣＭシステム機能の認証されたドメインメンバシップ部分を有していない機器の組に対応している。
【０１５１】
エリアＡ１ａは、認証されたドメイン内でＣＰＣＭシステムの機能を有し、例えば、ホーム領域内のユーザ又は世帯の住居におけるエリアＡ３内に設置されている機器の組に対応している。
【０１５２】
エリアＡ１ｂは、認証されたドメイン内でＣＰＣＭシステムの機能を有し、エリアＡ３の外、例えば、異なる領域におけるユーザ又は世帯の別荘又はセカンドハウスに設置されている機器の組に対応している。
【０１５３】
エリアＡ３は、ある種類のコンテンツの伝播を制限する必要がある如何なる地域又は領域に対応していてもよい。
【０１５４】
認証されたドメインであるエリアＡ１は、ローカル環境であるエリアＡ２及び地理的領域であるエリアＡ３と生来的に直交しており、独自に管理される。エリアＡ２は、生来的に、エリアＡ３の部分集合である。
【０１５５】
これらの異なるクラスのエリアの性質及び相互関係により、上述したように、外部及び内部のコンテンツ伝播制約の階層を定義することができ、これらの異なるエリアに関して、コンテンツ使用権情報ＣＵＲＩ及び／又は各使用状態情報ＵＳＩを柔軟に指定することができる。
【０１５６】
本発明に基づくコンテンツ使用権情報ＣＵＲＩ及び／又は各使用状態情報ＵＳＩの階層及び構造を図１１に示す。太線で囲んだ要素は、如何なるコンテンツアイテムについても特定できる実際の使用プロパティを表している。
【０１５７】
図１２は、特に伝播制約使用規則及びＵＳＩの階層及び構造を示している。
【０１５８】
図１は、様々なチャンネルから保護されたコンテンツを受信できるＡＶ機器のネットワークを含む典型的なユーザ環境を示している。
【０１５９】
ＤＲＭの領域では、既に、幾つかの権利表記言語（Rights Expression Language：ＲＥＬ）が確立され、例えば、ＸｒＭＬ［参考文献６］及びＯＤＲＬ［参考文献７］のように標準化されているものもある。ウェブベースの演算環境では、ＸＭＬに基づくこのようなＲＥＬを採用することが有利であり、処理ツール又はソフトウェアの多くが既に機器（ネットワークＰＣ、ブラウザ等）に組み込まれている。また、例えば、インターネットＤＲＭシステム内でユーザにコンテンツの単一のアイテムを提供する場合、ＸＭＬベースのＲＥＬのデータフォーマットの効率の悪さは、大きな問題にならない。
【０１６０】
しかしながら、放送環境では、ユーザは、例えば数百を超える場合もある多くのサービスをパラレルに享受することができる。現在利用可能なコンテンツ又はスケジューリングされた将来のコンテンツのコンテンツアイテムに関連する最終的な全てのコンテンツ使用制約又は権利は、例えば、通常、画面上の電子番組表にリストされるサービスに関連して表示されるアイコンとして、ユーザの機器を介して、ユーザに知らせることが望ましい。
【０１６１】
放送環境において、このようなＸＭＬベースのＲＥＬを用いることには、以下のような問題点がある：
・使用可能なデータ伝送容量のうちの比較的大きな割合が必要となる。
・多くの種類の放送受信機は、インターネット又はウェブブラウザベースの処理又はＸＭＬフォーマットデータの解釈に通常必要な機能及びソフトウェアを備えていない。
【０１６２】
したがって、本発明の目的は、放送コンテンツストリームにおいて、このようなＵＳＩを効率的に搬送し、全ての種類の放送受信機に適合するコンテンツ保護方法を提供することである。また、この技術を用いて、ユーザ環境のためのＣＰＣＭシステム内ですなわち、ホームネットワーク内のＡＶ記録装置、処理装置及び表示装置間でこのようなＵＳＩを伝送することができる。
【０１６３】
本発明の更なる利点として、コンテンツのアイテムにＵＳＩを埋め込む手法により、異なるＤＲＭ又はコンテンツ保護システムの間で、コンテンツの相互運用可能な交換のための便利なツールが提供される。これは、このようなシステムの間では、適応性があるドメインにおける使用許諾に関する必要な全ての情報（ＵＳＩ及び補助データ）を含むコンテンツのアイテム自体以外の追加的データを送受する必要が全くないためである。
【０１６４】
この手法は、以下のように要約できる：
・放送業者又はコンテンツ提供業者が現在の利用可能なチャンネル及び将来の伝送の両方において、ユーザ側のＣＰＣＭシステムにＵＳＩをシグナリングするために直接利用できる、ＭＰＥＧ−２トランスポートストリーム又はＭＰＥＧ−２プログラムストリーム内でコンテンツＵＳＩを搬送するための放送しやすいフォーマット
・ユーザ環境において、別の保護システムのＵＳＩフォーマットから共通のＣＰＣＭシステムＵＳＩフォーマットに変換するためにコンテンツ記録装置及び／又は再生装置が利用できる、ＭＰＥＧ−２トランスポートストリーム又はＭＰＥＧ−２プログラムストリーム内でコンテンツＵＳＩを搬送するための放送しやすいフォーマット
・コンテンツ収集又は放送ヘッドエンド設備において、ブロードキャストＭＰＥＧ−２トランスポートストリームへの挿入のためにＸＭＬベースのＲＥＬ／ＵＳＩをここに提案する放送しやすいフォーマットに変換するツール
・ユーザ側で放送指向のユーザＣＰＣＭシステムに保護されたコンテンツを取り入れるＤＲＭクライアントソフトウェアのためにＸＭＬベースのＲＥＬ／ＵＳＩをここに提案する放送しやすいフォーマットに変換するツール
【０１６５】
ＭＰＥＧ−ＩＰＭＰ［参考文献１］は、ＭＰＥＧコンテンツのためのＤＲＭフレームワークを定義するＩＳＯ／ＩＥＣ規格である。ＭＰＥＧ−ＩＰＭＰは、ＩＰＭＰコンテンツのために可能な使用規則（ＵＲ）の完全なセットを提供する権利表記言語として権利マークアップ言語（Rights Markup Language：ＸｒＭＬ）［参考文献６］を含む。しかしながら、この規格は、全てのクラスの民生用オーディオビジュアル機器を包含する相互運用可能なＤＲＭフレームワークの実用的な実現のために用いるには高機能で複雑過ぎる。実際、全般的な民生用娯楽機器では、ＸＭＬベースの言語に対応するためのメモリ及び処理リソースが不足するため、ＸＭＬベースの言語は、適当でない。
【０１６６】
オープンデジタル著作権言語（Open Digital Rights Language：ＯＤＲＬ）［参考文献７］は、実際に、ＸｒＭＬより単純なＵＲのセットを提供するが、ユーザ環境におけるＣＰＣＭのための一般的な基礎技術にとっては、これでも複雑過ぎる。
【０１６７】
ＸｒＭＬ及びＯＤＲＬの両方は、全ての種類の媒体及び例えば商業的取引及び課金に対応する完全なＤＲＭ権利表現ツールを提供する。ＣＰＣＭシステムは、このような機能を必要とせず、ＵＳＩの予め定義されたセットからこのような機能を省略することができる。
【０１６８】
ＴＶエニータイムフォーラム（TV-Anytime Forum：ＴＶＡＦ）は、放送コンテンツ［参考文献４］の権利管理及び保護のための仕様を公開した。ＲＭＰＩ及びＲＭＰＩ−ＭＢは、本発明と同じ領域に適用可能であるが、ＴＶＡ／ＲＭＰＩは、一般市場の相互運用可能なＣＰＣＭフレームワークに完全に適合するわけではなく、これらに必要な全てのツールを含むわけではない。これにも関わらず、仕様に適合する機器の製造業者にとって、幾つかの側面を実現するための負担が大きい。本発明は、固定されたＣＰＣＭフレームワーク及びコンテンツ保護管理のための方式により依存し、この結果、ユーザにとってより単純で明瞭なフレームワークを実現するＴＶＡ／ＲＭＰＩに代わる技術を提供する。
【０１６９】
ＣＰＣＭ／ＵＳＩフォーマット
放送及びホームネットワークＣＰＣＭシステムに適合するフォーマットは、コンテンツデータファイル又はストリームに繰り返し埋め込むことができる構造化されたバイナリコードデータの何らかの形式である。予め定義された構造及びコーディングは、ＸＭＬベースの使用規則コード方式に必要な大きくなることが多いヘッダタグの大半を省略できることを意味する。コード化された各使用規則設定は、テキスト形式のデリミッタに代えて、８ビットの予め定義されたバイナリ値に変換される。もちろん、最終的な引数フィールドは、圧縮できないこともある。
【０１７０】
ＣＰＣＭシステムのためのＡＶコンテンツアイテム又はコンテンツのトランスポート又は放送ストリームを生成する処理を図２を用いて説明する。
【０１７１】
ステップＳ１では、ＣＰＣＭシステムによって管理及び保護されるＡＶコンテンツを生成する。ステップＳ２では、コンテンツ識別子を取得し、ステップＳ３では、これに関連するコンテンツ使用権を取得する。従来の技術でも、コンテンツは、コンテンツ識別子及びコンテンツ使用権を有することができたが、これらは、コンテンツアイテム自体から独立した別個のファイルとして提供され、又はデータベースに保存されていた。
【０１７２】
ステップＳ４において、使用権コンバータは、ＣＰＣＭシステムに基づき、同等な使用権を解析及び生成する。使用権コンバータは、ＣＰＣＭシステム及び放送しやすい使用権又はＵＳＩデータに対応するバイナリコードデータのセットをステップＳ６に供給する。また、ＵＳＩデータは、使用権生成器ツール又はステップＳ５において直接生成することができる。
【０１７３】
ステップＳ７において、補助データ埋込器は、実際のアプリケーションに応じて、ステップＳ８に基づくＣＰＣＭに準拠したコンテンツアイテムＣＩを保存するデータファイル又はステップＳ９に基づくＣＰＣＭに準拠するコンテンツストリームにＣＰＣＭコンテンツ使用権又はＵＳＩを挿入する。本発明の１つの特徴は、ＣＰＣＭコンテンツアイテム又はＣＰＣＭに準拠するコンテンツストリーム内でこのようなＵＳＩデータが周期的に繰り返され、このようなコンテンツの受信機器が、例えば、放送受信機上のチャンネルをホッピングしながら、ライブ放送の間、コンテンツにランダムアクセスする場合、コンテンツ使用権を速やか且つ正確に解釈できるようなる点である。
【０１７４】
このような多くの個々のコンテンツストリーム又はサービスは、デジタル放送システムにおいて一般的であるように、多重化され（ステップＳ１１）、幾つかのサービスを含むコンテンツストリームが生成される。サービスマルチプレクサ（ステップＳ１０）は、搬送される全てのサービスのコンテンツ識別子（ステップＳ１３）及びＵＳＩデータ（ステップＳ１２）を収集し、多重化する。また、サービスマルチプレクサは、将来予定されているコンテンツに関連するこれらの情報を収集し、使用権に関する事前情報を予め提供することができる。ステップＳ１４では、サービス及び予定されているコンテンツのための全てのＵＳＩを含むコンテンツサービスが多重化されたデータが生成される。
【０１７５】
図３は、入力される使用権がテキストフォーマットの形式、例えば、既に確立されているマークアップ言語の１つである場合の図２におけるステップＳ４のフローチャートを示している。
【０１７６】
通常「タグ」セクションによって符号化される各使用権は、解釈され、入力フォーマットから、予め定義されたマッピングに基づいて同等な使用権が生成される。マッピングがＣＰＣＭ／ＵＳＩで定義されていない使用権は、無視される。
【０１７７】
全ての入力された使用権が解析及び変換されると、出力用のＣＰＣＭ使用権データ又はＵＳＩが生成される。ＣＰＣＭ使用権データ又はＵＳＩは、補助データ埋込器に供給され、補助データ埋込器は、上述したように、ＵＳＩをコンテンツに結合する。
【０１７８】
また、補助データ埋込器は、マルチプレクサを備えていてもよく、このマルチプレクサは、複数のコンテンツアイテム又はストリームを多重化し、例えば、ＤＶＢ等の放送システムで一般的に用いられる多重化コンテンツストリームを生成する。
【０１７９】
また、補助データ埋込器は、将来利用可能になるコンテンツアイテムに関するＵＳＩを埋め込むこともできる。
【０１８０】
ＵＳＩは、例えば、ＤＶＢの場合、サービス情報［参考文献８］等、放送システムにおいて既に定義されている補助データの他の要素を構成してもよい。このような好ましい実施の形態については、後述する。
【０１８１】
本発明の１つの利点は、ＣＰＣＭに準拠する保護されたコンテンツを取得する時点及び（ＵＳＩによって許可されている場合）これを保存し、ホームネットワーク内の何らかの処理装置によって後に読み出した時点の両方において、ユーザ環境における復号処理を検討すると明らかになる。ＵＳＩは、既にＣＰＣＭシステムに準拠するフォーマットに変換されているので、そのコンテンツのための使用権を確立するために、元のＤＲＭ又はＣＡシステムとの更新されたインタラクションを行う必要がない。コンテンツにアクセスする全てのＣＰＣＭ機器は、コンテンツを処理でき、使用規則が、これらの機器によって容易に処理できるフォーマットで、例えば、ＤＶＢの具体例では、サービス又はコンテンツアイテムに関連するＳＩ内の更なる記述子として、コンテンツファイル又はストリーム内に埋め込まれているので、使用規則を守ることができる。
【０１８２】
本発明の他の特徴として、本発明では、表示装置のグラフィカルユーザインタフェース上に、受信されたコンテンツに関して許可されている又は禁止されている処理を示すアイコンを表示し、これによりユーザは、そのコンテンツを用いることができるかを予め知ることができる。
【０１８３】
ＥＰＧ機能の典型的な特徴は、将来の番組コンテンツ又はイベントに関する情報を表示することである。同様に、ＳＩに伴うＵＳＩを用いて、ユーザに対し、将来のコンテンツアイテムに関する利用可能なオプションを表示でき、或いは、ＵＳＩによって禁止されている機能を非表示にすることができる。
【０１８４】
ＵＳＩの最適化された最小のセット
この章では、ユーザ環境におけるオーディオ／ビジュアルコンテンツの使用規則（Usage Rule：ＵＲ）のセットを定義し、及びユーザ領域（配信チャンネル）におけるコンテンツ受信の前及びこの領域におけるコンテンツの有効期間の両方において、（家庭内及びユーザの自家用車内のネットワークに接続された機器及び携帯型のモバイル機器を含むコンテンツを利用できる全ての機器に亘って）関連するコンテンツと共にこの情報の通信する手法を説明する。
【０１８５】
ＵＲは、予め定義された方式で符号化され、ＣＰＣＭフレームワーク内で通信される。このようなデータは、「使用状態情報」（Usage State Information：ＵＳＩ）と呼ばれる。
【０１８６】
ここでは、ＣＰＣＭフレームワークのための使用規則の完全なセットを定義する。ＵＲは、コンテンツのアイテムに適用される一組のプロパティとして定義される。このプロパティのセットは、少なくとも、ユーザ環境において、オーディオ／ビジュアルコンテンツ機能を制御する最小のセットを含む。
【０１８７】
ＣＰＣＭフレームワークコンテンツ使用規則（ＵＲ）
本発明では、２種類のＵＲプロパティを用い、したがって、必須の（Mandatory）及び断定的な（Assertive）使用状態情報（ＵＳＩ）が導出される。
【０１８８】
必須のＵＳＩ：ＣＰＣＭコンテンツの如何なるアイテムも、常に、適用されている必須のＵＳＩフィールドの状態の１つを有していなくてはならない。
【０１８９】
断定的ＵＳＩ：断定的ＵＳＩは、関連する制約／権利が課されている／許諾されていることを意味する。コンテンツのアイテムについて特定の断定的ＵＳＩフィールドが存在しない場合、その制約／権利は課されておらず又は許諾されていない。
【０１９０】
断定的ＵＳＩは、必須のＵＳＩに直交しており、すなわち、各断定的ＵＳＩフィールドは、必須のＵＳＩフィールド状態の何れにも適用できる。
【０１９１】
コンテンツのコピーの場合、生成されたコンテンツの新たなインスタンスは、通常、元のインスタンスの非コピーＵＳＩを継承する。
【０１９２】
各ＵＲプロパティについては、後の章で説明する。
【０１９３】
コピー制御
コピー制御ＵＳＩのための単純なモデルは、当分野において既に確立されている。このモデルは、ＣＰＣＭフレームワークＵＲの１つのコンポーネントを構成する。これにより、コンテンツは、５つの状態の１つとしてマーキングされる。
【０１９４】
・コピー禁止記憶不可（Copy Never Zero Retention：ＣＮＺＲ）：コンテンツのコピーは、許可されず、再生を一時停止するためのユーザがアクセスできない安全な一時的なバッファコピーも許可されない。
【０１９５】
・コピー禁止（Copy Never：ＣＮ）：コンテンツのコピーは、許可されないが、再生を一時停止するための一時的なバッファコピーは許可される。
【０１９６】
・一回のみコピー可（Copy Once：Ｃ１）：コンテンツの単一のコピーを一個だけ作成できる。
【０１９７】
・１世代のみコピー可（Copy One Generation：Ｃ１Ｇ）：コンテンツを繰り返しコピーできるが、各コピーには、「これ以上のコピー禁止」のマークが付される。Ｃ１Ｇ状態のための任意の引数として、許可されるコピーインスタンスの最大数を設定してもよい。実際のＣＰＣＭシステムでは、この値を各コンテンツのアイテムについて明示的に設定される変数としてもよく、又は個々に設定することなく、ＣＰＣＭシステムにおいて、包括的な最大値を強制してもよい。
【０１９８】
・これ以上のコピー禁止（Copy No More：ＣＮＭ）：上述した通り、更なるコピーが禁止される。
【０１９９】
・コピー制御なし（Copy Control Not Asserted：ＣＣＮＡ）：コンテンツを無制限にコピーできる。
【０２００】
Ｃ１又はＣ１Ｇ状態の何れかを有するコンテンツをコピーすると、ＣＮＭ状態を有するコンテンツの新たなインスタンスが生成される。
【０２０１】
ＣＰＣＭフレームワークでは、コピー制御ＵＳＩプロパティは、必須のＵＳＩである。
Ｃ＝｛ＣＮＺＲ，ＣＮ，Ｃ１，Ｃ１Ｇ，ＣＮＭ，ＣＣＮＡ｝のうちの１
【０２０２】
同時再生カウント（Concurrent Render Count）
幾つかのコンテンツプロバイダは、商業的に、同時に再生できるコンテンツのアイテムの数、例えば、家庭内でコンテンツを再生する表示装置の数を制限することを要求する。したがって、ＣＰＣＭフレームワークは、ＵＳＩにこの能力を含ませる。
視聴／消費＋カウント（カウント＝０の場合、視聴不可）
【０２０３】
ＣＰＣＭフレームワークでは、ＵＳＩ同時再生制限（Restrict Concurrent Rendering：ＲＣＲ）は、オプションのＵＳＩであり、許可される同時再生の最大カウントに基づいて設定される。ＵＳＩにＲＣＲプロパティが存在していない場合、コンテンツは、幾つの表示装置でも視聴することができる（なお、ＵＳＩによって指定される最終的な伝播制約が課され、指定されていれば、全体的に有効な同時再生の最大数による制約を受ける）。
【０２０４】
これに代えて、ＲＣＲプロパティは、「制約が断定されていない」といった定義されたパラメータを有していてもよい。また、この場合、ＲＣＲは、必須のＵＳＩプロパティであってもよい。
Ｖ＝ＲＣＲ＋カウント、又はＶ＝ＲＣＲ＋断定されていない／カウント
【０２０５】
コンテンツ使用の時間的制約
例えば、オンラインのレンタル等、コンテンツの使用を時間的に制限するビジネスモデルもある。このため、ＣＰＣＭフレームワークは、特定の期間内のみコンテンツの使用を許可するＵＳＩを含む。
【０２０６】
時間的制約（Time-Based Restriction：ＴＢＲ）ＵＲは、ＴＢＲ／ＵＳＩにおいて、「始期（ＦＲＯＭ）」及び「終期（ＵＮＴＩＬ）」のパラメータの一方又は両方を適用することによって設定される。
【０２０７】
これに代わる時間的なＵＲとして、「期間（ＦＯＲ）」パラメータを適用することによって、コンテンツが受信された後の有効期間を指定してもよい。
【０２０８】
ＴＢＲ／ＵＲは、断定的であってもよく、又はＵＳＩにおいて、パラメータ「制約が断定されていない」が定義されている場合、必須であってもよい。
Ｔ＝｛始期＋日時（絶対値）；終期＋日時（絶対値）｝及び｛期間＋日時（期間）又は断定なし｝の一方又は両方
【０２０９】
コンテンツスクランブル禁止
コンテンツプロバイダによっては、原理的に又は規則によって、暗号化ツールによってコンテンツを保護する、すなわち、スクランブルをかけることを望まない場合がある。ＣＰＣＭフレームワークは、このようなＵＳＩツールとして、「スクランブル禁止」ＵＳＩ（Do Not Scramble：ＤＮＳＣ）を有する。これはオプションのＵＳＩである。このＵＳＩが設定されていない場合、ＣＰＣＭフレームワーク内では、コンテンツは、デフォルトでスクランブルされる。
Ｓ＝ＤＮＳＣ
【０２１０】
伝播制約
幾つかのコンテンツプロバイダは、商業的に、ユーザが一旦コンテンツを取得した後、ある領域に貴重なコンテンツの伝播を制限することを要求する。
【０２１１】
ＣＰＣＭフレームワークは、コンテンツにおいてこのプロパティを特徴付けるＵＲを提供する。以下の使用プロパティは、伝播制約ＵＲ／ＵＳＩのために有効である。
【０２１２】
・コンテンツ保護及びコピー管理システムに限定（Restrict to Content Protection and Copy Management System：ＲＴＣＰＣＭ）：この状態が適用されているコンテンツのアイテムは、ＣＰＣＭシステムによって、保護されるコンテンツのためのデフォルト伝播制約設定によって保護された状態を維持する。
【０２１３】
・認証されたドメインに限定（Restrict to Authorized Domain：ＲＴＡＤ）：この状態が適用されているコンテンツのアイテムは、コンテンツを受信したユーザに属するＣＰＣＭに準拠する機器の組を超えて伝播することが禁止され、この場合、ユーザは、自宅でコンテンツを使用し、遠隔位置、例えば、別宅又は移動体端末からアクセスすることができる。
【０２１４】
・ローカルの認証されたドメインに限定（Restrict to Localized Authorized Domain：ＲＴＬＡＤ）：この状態が適用されているコンテンツのアイテムは、それぞれの認証されたドメイン（ＡＤ）内でコンテンツがユーザ環境に取り込まれた位置の近傍を超えて、電子的転送によって伝播することが禁止される。現実的な具体例では、これは、例えば、ユーザの自宅において受信機器が接続されているローカルエリアネットワーク（ＬＡＮ）を意味し、この場合、別宅又はモバイル機器への生の移転は、除外される。
【０２１５】
・地域に限定（Restrict to Geographic Area：ＲＴＧＡ）：この状態が適用されているコンテンツのアイテムは、電子的転送によって、指定された地域外に伝播することが禁止される。
【０２１６】
・ローカル環境に限定（Restrict to Local Environment：ＲＴＬＥ）：この状態が適用されているコンテンツのアイテムは、コンテンツがユーザ環境に取り込まれた位置の近傍を超えて、電子的転送によって伝播することが禁止される。現実的な具体例では、これは、例えば、ユーザの自宅において受信機器が接続されているローカルエリアネットワーク（ＬＡＮ）を意味し、この場合、別宅又はモバイル機器への生の移転は、除外される。
【０２１７】
・エクスポート制御（Controlled Export：ＣＥ）：ＣＰＣＭシステムが暗示的に又は包括的に信用していない異なる保護システムにコンテンツのアイテムを伝播させることを許可又は禁止する。
【０２１８】
・ＣＰＣＭ拡張による使用（Usage by CPCM extension：ＥＸＴ）：この状態が適用されているコンテンツのアイテムは、ＣＰＣＭシステムへの拡張として、コンテンツ保護及びコピー管理機能を提供するある周知のシステムの領域内で適用される別個のコンテンツ管理使用プロパティを有する。
【０２１９】
・伝播制約なし（Propagation Restriction Not Asserted：ＰＲＮＡ）：コンテンツのアイテムは、ＣＰＣＭフレームワークの外にも再配信できる。現実的には、これは、今日のＰ２Ｐ共有シナリオのように、コンテンツを保護されない形式で無制限に共有できることを意味する。
【０２２０】
ＣＰＣＭフレームワークでは、ＵＳＩ伝播制約プロパティは、断定的ＵＳＩである。コンテンツアイテムのＵＳＩが如何なる伝播制約プロパティも有さない場合、そのコンテンツは、ＣＰＣＭシステムによって保護されるが、ＣＰＣＭシステム内での移動に関しては、制限されず、そのコンテンツのためのコンテンツ管理ＵＳＩの設定が適用される。
【０２２１】
これに代えて、少なくとも１つのデフォルト伝播制約を設定し、上述した規則に基づいて、ＣＰＣＭフレームワーク内のコンテンツが様々な伝播制約のためのＵＳＩを搬送してもよい。
【０２２２】
Ｒ＝上述した階層に基づく｛ＲＴＡＤ，ＲＴＬＡＤ，ＲＴＧＡ，ＲＴＬＥ，ＣＥ，ＥＸＴ，ＰＲＮＡ｝のうちの０又は１〜ｎ
ＵＳＩの好ましい実施の形態
本発明が適用される主な分野は、ＭＰＥＧ−２トランスポートストリーム［参考文献５］によって搬送又は保存されるオーディオ／ビジュアルコンテンツに関連する。デジタルテレビジョン放送によって放送されるコンテンツは、既にこの形式を有している。また、幾つかの新たな形式のコンテンツ配信、例えば、インターネットプロトコル（ＩＰ）サービス上のビデオオンデマンドも同じフォーマットを用いている。また、このフォーマットは、例えば、デジタルバーサタイルディスク（Digital Versatile Disk：ＤＶＤ）に保存されるオーディオ／ビジュアルコンテンツ等の現在用いられているＭＰＥＧ−２プログラムストリームフォーマットにも適用できる。したがって、本発明は、コンテンツがこれらの２つのフォーマット間で変換される場合、コンテンツＵＲのシームレスな承継を実現する。
【０２２３】
現在のデジタルテレビジョンサービスは、ＭＰＥＧ−２ベースのオーディオ及びビデオコンテンツを搬送している。将来的には、例えば、ＭＰＥＧ−４ＡＶＣ（ビデオ）及びＡＡＣ（オーディオ）等の他のコンテンツフォーマットへの拡張も想定されるが、これらのサービスも搬送技術としてＭＰＥＧ−２トランスポートストリームを用いる。
【０２２４】
ＭＰＥＧ−２システムセクションシンタクス（MPEG-2 Systems Section Syntax）を用いた実施の形態
本発明では、ＵＳＩは、ＵＳＩがＵＲを記述するコンテンツと共にＭＰＥＧ−２トランスポートストリームによって搬送される。なお、同じＵＳＩコーディング技術を用いて、例えば、コンテンツ保護又はＤＲＭシステムにおいてコンテンツに関連付けられている安全なデータのセットであるコンテンツライセンス（Content License：ＣＬ）内でＵＳＩをコンテンツ自体とは別に搬送することもできる。
【０２２５】
ＵＳＩの包括的なシンタクスを以下の表に示す。コンテンツ管理使用プロパティの第１のセットは、ＣＰＣＭシステム内のコンテンツのＵＳＩを指定する。これは、それぞれのコンテンツ管理ＵＳＩを含む少なくとも１つの伝播制約エントリが続く場合、存在していなくてもよい。ＣＰＣＭシステム全体のコンテンツ管理ＵＳＩが存在している場合、それぞれの最後の伝播制約エントリの後に更なるコンテンツ管理ＵＳＩを特定できる。このように、ＣＰＣＭシステムの異なる領域について、異なる使用規則を設定できる。
【０２２６】
【表６】
0005202947.tif 000007
【０２２７】
ＧＡ領域を２つ以上指定してもよいが、指定されたＵＳＩのＬＥ及び／又はＲＴＡＤ及び／又はＲＴＬＡＤ伝播制約のセットは、１つだけでなくてはならない。
【０２２８】
領域と、コンテンツ管理ＵＳＩ設定との組合せには、無意味なものも多くあるが、先に説明したコーディング規則によって、不合理な組合せは回避される。
【０２２９】
多くの場合、例えば、ＬＥに対してＧＡ、ＲＴＬＡＤに対してＡＤ等、より小さい伝播領域について、より限定的なコンテンツ管理規則を指定しても意味がないことが予想できる。
【０２３０】
Ｔａｂ．１は、使用プロパティ、パラメータ及び引数のセットの汎用的な好ましいコーディングを示している。これは、ＭＰＥＧ−２システムを用いる実施の形態の両方（すなわち、ＤＶＢ−ＳＩ及び著作権記述子）に適用できる。Ｎは、コンテンツのアイテムに適用されているインスタンスに含まれている使用状態情報プロパティの番号を表す。表１は、デコーダのためのスキーマでもある。
【０２３１】
Ｔａｂ．２は、各使用状態情報プロパティ並びに各使用パラメータ及び引数のためのシンタクスを示している。
【０２３２】
操作に対するＵＳＩの保護：ＵＳＩテーブルは、ＵＳＩ情報の鍵付きハッシュを含む。暗号化コンテンツの場合、この鍵付きハッシュは、好ましくは、コンテンツ鍵を用いて暗号化される。
【０２３３】
・ＣＴＡストリームの場合も同様。
【０２３４】
・ＵＳＩは、コンテンツストリーム内で周期的に繰り返される。これには、例えば、コンテンツストリームの開始時にＵＳＩを一回だけ送信する場合に比べて、２つの利点がある。
【０２３５】
・ユーザの機器によるコンテンツへのランダムアクセスが可能になり、例えば、進行中の伝送の間（テレビジョンチャンネルホッピングの間）放送ストリームが取得された後に使用規則の迅速な取得が可能になる。
【０２３６】
・搬送されるＵＲを回避するためには、ＵＳＩの繰返し毎に処理を行う必要があるため、ＵＳＩの安全性が更に担保される。
【０２３７】
したがって、使用状態情報は、使用状態情報が関連するコンテンツストリーム内で周期的に繰り返す必要があるデータセクションに含ませることが望ましい。
【０２３８】
ＤＶＢサービス情報（Service Information：ＳＩ）を含む実施の形態
ＤＶＢ−ＳＩ［参考文献８］は、ＤＶＢトランスポートストリームによって搬送されるオーディオビジュアルサービスに関連するデータを搬送するためのシンタクスを定義する。この実施の形態では、新たなＳＩ記述子を定義し、これを「使用状態情報記述子」と呼び、これに記述子タグ値を割り当てる。
【０２３９】
使用状態情報記述子は、好ましくは、そのイベントの使用状態情報を示すイベント情報テーブル（Event Information Table：ＥＩＴ）で搬送される。使用状態情報記述子は、全ての種類のＥＩＴで搬送することができ、これにより、同じ通信技術を用いて、将来のイベントについて、より高度な使用状態情報を示すことができる。
【０２４０】
使用状態情報記述子は、好ましくは、サービス記述テーブル（Service Description Table：ＳＤＴ）及びこれに加えて又はこれに代えて、プログラムマップテーブル（Program Map Table：ＰＭＴ）にコピーされ、そのサービスについて現在実行中のイベントの使用状態情報を示す。
【０２４１】
Ｔａｂ．３は、ＤＶＢ−ＳＩにおける使用状態情報記述子の好適なシンタクスを示している。ＤＶＢ−ＳＩ記述子構造には、上述した包括的なコーディングシンタクスが適用されている。
【０２４２】
ＡＴＳＣプログラム及びシステム情報プロトコル（Program and System Information Protocol：ＰＳＩＰ）を含む実施の形態
本発明は、ＡＴＳＣ［参考文献９］システムにも適用できる。ここでは、ＤＶＢシステムに本発明を適用した場合と同様に、関連するコンテンツの使用状態情報を搬送するための新たな記述子を定義する。
【０２４３】
ＭＰＥＧ著作権記述子を含む実施の形態
ＭＰＥＧ−２システム［参考文献５］は、特定の登録機関及びコンテンツ識別子をコンテンツに関連付けるためのツールとして、「著作権記述子」を指定する。
【０２４４】
本発明のこの好ましい実施の形態では、本発明に基づくＵＲ及び対応するＵＳＩをコンテンツに関連付ける著作権記述子を適用して、対応するＣＰＣＭ又はＤＲＭシステムを定義する新たな登録機関の設立を予見する。
【０２４５】
著作権記述子内の「ａｄｄｉｔｉｏｎａｌ＿ｃｏｐｙｒｉｇｈｔ＿ｉｎｆｏ」フィールド本発明に基づくＵＳＩのコードを含むように拡張される。
【０２４６】
Ｔａｂ．４は、ＭＰＥＧ−２システム著作権記述子に適用した場合の使用状態情報記述子の好適なシンタクスを示している。著作権記述子構造には、上述した包括的なコーディングシンタクスが適用されている。
【０２４７】
著作権記述子は、本発明に基づく使用状態情報と共に、［参考文献５］において定義されている両方のストリームによって搬送されるコンテンツに適用できる。
【０２４８】
・ＭＰＥＧ−２トランスポートストリーム：このような著作権記述子は、ｐｒｏｇｒａｍ＿ｉｎｆｏ記述子として、トランスポートストリームプログラムマップセクションの各インスタンスに挿入され、関連するコンテンツの使用権を伝える。
【０２４９】
・ＭＰＥＧ−２プログラムストリーム：このような著作権記述子は、ｐｒｏｇｒａｍ＿ｓｔｒｅａｍ＿ｉｎｆｏ記述子として、プログラムストリームマップの各インスタンスに挿入され、関連するコンテンツの使用権を伝える。
【０２５０】
ＸＭＬスキーマを用いた実施の形態
ＵＳＩコーディングのバイナリ法と同じ範囲を有するＣＵＲＭＬのＸＭＬスキーマコードを定義することができる。このようなスキーマは、あるコンテンツ交換環境において有用である。
【０２５１】
本発明の側面
本発明は、以下の側面を包含する。
【０２５２】
・ユーザ環境におけるコンテンツ保護コピー管理システム内でのオーディオ／ビジュアルコンテンツ使用規則の通信方法を提供する。
【０２５３】
・ユーザ環境のＣＰＣＭシステム内におけるコンテンツ使用規則の実用的な、完全な及び柔軟なセットを提供する。
【０２５４】
・このような使用規則設定は、効率性をより高めるためにバイナリ形式でコーディングされる。
【０２５５】
・このような使用規則設定は、保護されるコンテンツアイテム又はストリームに挿入され又は埋め込まれる。
【０２５６】
・このような使用規則設定は、コンテンツアイテム又はストリームに伴う他の補助データに同様のフォーマットで挿入され又は埋め込まれる。
【０２５７】
・このような使用規則設定は、コンテンツアイテム又はストリーム内で周期的に繰り返され、コンテンツアイテムへのランダムアクセスが行われた場合、規則の迅速な取得が容易になる。
【０２５８】
・コンテンツ使用規則設定を、ある方式（特に何らかのＸＭＬベースのコード体系）から放送システム及びユーザ環境のための共通のＣＰＣＭシステムに好適な効率的な符号方式に変換する手法を提供する。
【０２５９】
・既に再生に利用可能な又は将来利用可能になるコンテンツのアイテムについて、コンテンツの使用規則設定に基づき、グラフィカルユーザインタフェースによって、あるコンテンツ処理機能の有効又は無効を通信する通信方法を提供する。
【０２６０】
・コンテンツ管理、伝播制約ＵＲ及びＵＳＩの定義を提供する。
【０２６１】
・全ての必要なコンテンツ使用モデルの柔軟で効率的なコーディングを実現する伝播制約ＵＲ及びＵＳＩの階層の定義を提供する。
【０２６２】
・必須の及び断定的なＵＲ及びＵＳＩの定義を提供する。
【０２６３】
・それぞれのＵＲプロパティの定義を提供する。コピー制御情報（ＣＣＩ）として知られているＮＢコピー制御ＵＳＩは、大部分が周知の技術である。これは、コンテンツ使用に関する時間的な限定にも適用される。なお、ＵＲ及びＵＳＩの全体的な性質は、本発明の重要な側面である。
【０２６４】
・ＵＳＩを解釈し、各コンテンツアイテムに適合する挙動を導出する機器又はソフトウェアを提供する。
【０２６５】
・ＵＳＩを生成し、各コンテンツアイテムについて所望の使用規則を示し又は強制する機器又はソフトウェアを提供する。
【０２６６】
・本明細書に開示する異なるＵＳＩコーディング技術間の変換を行うツールを提供する。これにより、例えば、コンテンツオーサリングの間、ＸＭＬスキーマが使用されている場合、このＵＳＩをＳＩテーブル形式に変換することができる。
【０２６７】
・ユーザ環境において、コンテンツ使用権をシグナリング及び維持する現在のＵＲ及び／又はＵＳＩフレームワークを実現するＣＰＣＭ又はＤＲＭシステムを提供する。
【０２６８】
・ＭＰＥＧ−２トランスポートストリームによって搬送されたコンテンツに本発明を適用する手法を提供する。
【０２６９】
・ＭＰＥＧ−２プログラムストリームによって搬送されたコンテンツに本発明を適用する手法を提供する。
【０２７０】
・ＭＰＥＧ−２システム著作権記述子を用いて、新たなＲＡ及びＣＲＩＤを関連付け、コンテンツと共にＵＳＩを搬送し、機器がコンテンツのＵＲを取得できるようにする。
【０２７１】
・ＤＶＢシステムにおいて使用するＵＳＩのシンタクスの定義を提供する。
【０２７２】
・ＡＴＳＣシステムにおいて使用するＵＳＩのシンタクスの定義を提供する。
【０２７３】
・コンテンツストリーム内でＵＳＩを周期的に繰り返す手法を提供する。これにより、セキュリティが高められ、及びユーザの機器がコンテンツにランダムアクセスでき、例えば、（テレビジョンチャンネルホッピングの間）放送ストリームが取得された後に使用規則を速やかに取得することができる。
【０２７４】
・ＵＲのＸＭＬベースのコーディング法を提供する。これにより、例えば、ＸＭＬスキーマ等のあるアプリケーションに有用な、代替的コーディング法が得られる。
【０２７５】
・プログラム情報、例えば、テレビジョンスケジュールデータ内で同じＵＳＩを用いて、同じ配信システムで搬送される他のコンテンツのためにＵＲをシグナリングする手法を提供する。
【０２７６】
ＣＰＣＭ又はＤＲＭコンテンツライセンス内でコンテンツの使用権をシグナリングする手法を提供する。
【０２７７】
参考文献
［参考文献１］        ISO/IEC1318-11 IPMP on MPEG-2 Systems 
［参考文献２］        Background Article on DVB CPCM: http://www.dvb.org/documents/newsletters/DVB-SCENE-05.pdf
［参考文献３］        DVB World Conference 2004, Dublin, Presentation on DVB CPCM
［参考文献４］        TV-Anytime Forum TC211r3 Specification for the Semantics of TV-Anytime Rights Management and Protection Information for Micro-Broadcast: ftp://tva:tva@ftp.bbc.co.uk/pub/Plenary/TV211r4.zip
［参考文献５］        ISO/IEC13818-1 MPEG-2 Systems
［参考文献６］        Extensible Rights Markup Language (XrML), info at: http://www.xrml.org/get_XrML.asp
［参考文献７］        Open Digital Rights Language (ODRL) Specification Version 1.1: http://www.w3.org/TR/odrl/
［参考文献８］        ETSI EN 300 468 - Digital Video Broadcast (DVB); Specification for Service Information in DVB Systems
［参考文献９］        ATSC Standard A/65B: Program and System Information Protocol for Terrestrial Broadcast and Cable
【０２７８】
略語
ＡＤ  認証されたドメイン（Authorized Domain）
ＣＰＣＭ  コンテンツ保護及びコピー管理（Content Protection and Copy Management）
ＤＲＭ  デジタル権利管理（Digital Rights Management）
ＤＶＢ  デジタルビデオ放送（Digital Video Broadcast）
ＥＰＧ  電子番組ガイド（Electronic Program Guide）
Ｇａ  地域（Geographic Area）
ＩＰ  インターネットプロトコル（Internet Protocol）
ＡＤ  局所化されたＡＤ（Localized AD）
ＬＡＮ  ローカルエリアネットワーク（Local Area Network）
ＬＥ  ローカル環境（Local Environment）
ＲＭＰＩ  （ＴＶエニータイム）権利管理及び保護情報（(TV-Anytime) Rights Management and Protection Information）
ＳＩ  サービス情報（Service Information）
ＴＶＡ  ＴＶエニータイム（TV-Anytime）
ＴＶＡＦ  ＴＶエニータイムフォーラム（TV-Anytime Forum）
ＵＲ  （コンテンツ）使用規則（Usage Rule）
ＵＳＩ  使用状態情報（Usage State Information）
ＷＡＮ  ワイドエリアネットワーク（Wide Area Network）
【図面の簡単な説明】
【０２７９】
【図１】本発明を適用できるオーディオ／ビデオコンテンツ取得及び使用のためのユーザ環境の具体例を示す図である。
【図２】本発明の好ましい実施の形態として、ＣＰＣＭ使用権設定及びＣＰＣＭコンテンツストリームの生成の処理を説明するブロック図である。
【図３】本発明の好ましい実施の形態において、特に使用権コンバータにおいて実行される処理のフローチャートである。
【図４】使用プロパティのセットの包括的な好ましいコーディングを示すＴａｂ．１を示す図である。
【図４−１】使用プロパティのセットの包括的な好ましいコーディングを示すＴａｂ．１’を示す図である。
【図４−２】使用プロパティのセットの包括的な好ましいコーディングを示すＴａｂ．１”を示す図である。
【図４ａ】コンテンツ管理使用プロパティのための使用プロパティ、パラメータ及び引数のセットの包括的な好ましいコーディングを示すＴａｂ．１ａを示す図である。
【図４ｂ】伝播制約使用プロパティのための使用プロパティ、パラメータ及び引数のセットの包括的な好ましいコーディングを示すＴａｂ．１ｂを示す図である。
【図５】各使用状態情報プロパティについて提案するコーディング／シンタクスを示すＴａｂ．２を示す図である。
【図５ａ】コンテンツ管理使用プロパティの各使用状態情報プロパティ及び各使用パラメータ及び引数のシンタクスを示すＴａｂ．２ａを示す図である。
【図５ｂ】伝播制約使用プロパティの各使用状態情報プロパティ及び各使用使用パラメータ及び引数のシンタクスを示すＴａｂ．２ｂを示す図である。
【図６】ＤＶＢ−ＳＩにおける使用状態情報記述子の好適なシンタクスを示すＴａｂ．３を示す図である。
【図７】ＭＰＥＧ−２システム著作権記述子に適用される使用状態情報記述子の好適なシンタクスを示すＴａｂ．４を示す図である。
【図８】本発明の実施の形態の幾つかの基本的な側面を説明するフローチャートである。
【図９】本発明の実施の形態の幾つかの基本的な側面を説明するフローチャートである。
【図１０】コンテンツ使用権情報ＣＵＲＩ及び／又は使用状態情報ＵＳＩが１つ以上の伝播制約をシグナリングできるＣＰＣＭシステムの機能を含む機器の位置を定義する様々な手法の概念を示す図である。
【図１１】如何なるコンテンツアイテムにも特定できる実際の使用プロパティを太枠で表すと共に、コンテンツ使用権情報ＣＵＲＩ及び／又は各使用状態情報ＵＳＩの階層及び構造を示す図である。
【図１１ａ】如何なるコンテンツアイテムにも特定できる実際の使用プロパティを太枠で表すと共に、コンテンツ使用権情報ＣＵＲＩ及び／又は各使用状態情報ＵＳＩの階層及び構造を示す図である。
【図１２】伝播制約使用規則及びＵＳＩの階層及び構造を示す図である。
【図１３】伝播制約使用規則及びＵＳＩの階層及び構造を示す図である。
【符号の説明】
【０２８０】
ＣＩ  コンテンツアイテム、ＣＵＲＩ  コンテンツ使用権情報、ｄｊ  機器（ｊ＝１，２，３）、Ｎ  ネットワーク、ＰＤａｔ  プライマリデータ、ＳＤａｔ  セカンダリデータ、ＵＲ  使用権、ＵＳ  使用状態、ＵＳＩ  使用状態情報
【図１】
0005202947.tif 000015
【図２】
0005202947.tif 000016
【図３】
0005202947.tif 000017
【図４】
0005202947.tif 000018
【図４−１】
0005202947.tif 000019
【図４−２】
0005202947.tif 000020
【図４ａ】
0005202947.tif 000021
【図４ｂ】
0005202947.tif 000022
【図５】
0005202947.tif 000023
【図５ａ】
0005202947.tif 000024
【図５ｂ】
0005202947.tif 000025
【図６】
0005202947.tif 000026
【図７】
0005202947.tif 000027
【図８】
0005202947.tif 000028
【図９】
0005202947.tif 000029
【図１０】
0005202947.tif 000030
【図１１】
0005202947.tif 000031
【図１１ａ】
0005202947.tif 000032
【図１２】
0005202947.tif 000033
【図１３】
0005202947.tif 000034